(57)【要約】【課題】普段使い慣れていないソフトウェアであっても容易に種々のＰＣの設定を自動的に行なうことできる情報端末装置におけるサービス利用システム等を提供する。【解決手段】携帯電話器１０がウェブサーバ４０から送受信用ソフトウェアＳｋをダウンロードして携帯電話器１０側の記録媒体７７に記録し、送受信用ソフトウェアＳｋを用いて所定のサービスを購入する購入要求情報Ｉｂをウェブサーバ４０へ送信する。ウェブサーバ４０が、購入要求情報Ｉｂに基づき所定のサービスを提供するサービス提供ソフトウェアＳｐを携帯電話器１０へ送信する。携帯電話器１０がサービス提供ソフトウェアＳｐを携帯電話器１０側の追加記録媒体７８に記録する。携帯電話器１０と接続されたＰＣ２０が追加記録媒体７８に記録されたサービス提供ソフトウェアＳｐをＰＣ２０側の記録装置９８ａ等にロードしサービス提供ソフトウェアＳｐを実行する。【選択図】  図１
2008181431.tif 000002
【特許請求の範囲】
【請求項１】
ソフトウェアの配信を行う配信サイトが稼動するウェブサーバと、該ウェブサーバに通信メディアを介して接続された移動情報端末装置と、該移動情報端末装置と接続可能な情報端末装置と備えた情報端末装置におけるサービス利用システムであって、
前記移動情報端末装置は、
前記ウェブサーバから送受信用ソフトウェアをダウンロードする送受信用ソフトウェアダウンロード手段と、
前記送受信用ソフトウェアダウンロード手段によりダウンロードした送受信用ソフトウェアを用いて、所定のサービスを購入する購入要求情報を前記ウェブサーバへ送信する購入要求情報送信手段と、
前記ウェブサーバから送信された所定のサービスを提供するサービス提供ソフトウェアを移動情報端末装置側の記録部に記録する情報記録手段とを備え、
前記ウェブサーバは、
前記購入要求情報送信手段により送信された購入要求情報に基づき、サービス提供ソフトウェアを前記移動情報端末装置へ送信するサービス提供ソフトウェア送信手段を備え、
前記情報端末装置は、
前記移動情報端末装置と接続された状態で、前記情報記録手段により前記移動情報端末装置側の記録部に記録されたサービス提供ソフトウェアを該情報端末装置側の記録部にロードし、該サービス提供ソフトウェアを実行するサービス提供ソフトウェア実行手段とを備えたことを特徴とする情報端末装置におけるサービス利用システム。
【請求項２】
請求項１記載の情報端末装置におけるサービス利用システムにおいて、前記ウェブサーバに接続された設定発行サーバと、該設定発行サーバと接続され且つ前記通信メディアとは別の通信メディアを介して前記情報端末装置と接続された認証サーバとをさらに備え、
前記ウェブサーバは、
前記購入要求情報送信手段により送信された購入要求情報により示される所定のサービスの実現に要する実現情報の生成要求を前記設定発行サーバへ送信する生成要求送信手段をさらに備え、
前記設定発行サーバは、
前記生成要求送信手段により送信された生成要求に基づき、所定のサービスの設定に用いる設定情報と、前記情報端末装置が前記認証サーバを介して所定のネットワークにアクセスする際に要する通信情報とを含む実現情報を生成し、該実現情報を該ウェブサーバへ送信する実現情報送信手段と、
前記認証サーバから送信された通信情報に基づき、前記情報端末装置が所定のネットワークにアクセスする場合のログインの許否を行うログイン許否手段とを備え、
前記サービス提供ソフトウェア送信手段は、前記購入要求情報送信手段により送信された購入要求情報に基づき、サービス提供ソフトウェアと前記実現情報送信手段により送信された実現情報とを前記移動情報端末装置へ送信し、
前記情報記録手段は、前記サービス提供ソフトウェア送信手段により送信されたサービス提供ソフトウェア及び実現情報を前記移動情報端末装置側の記録部に記録し、
前記サービス提供ソフトウェア実行手段は、前記移動情報端末装置と接続された状態で、前記情報記録手段により該移動情報端末装置側の記録部に記録された実現情報及びサービス提供ソフトウェアを該情報端末装置側の記録部にロードし、該実現情報に含まれる設定情報を用いて該サービス提供ソフトウェアの設定を行ない、該実現情報に含まれる通信情報を前記認証サーバ側へ送信してログイン要求を行い、
前記認証サーバは、前記サービス提供ソフトウェア実行手段により前記情報端末装置から送信された通信情報を前記設定発行サーバへ送信する通信情報送信手段を備え、
前記情報端末装置は、前記ログイン許否手段によりログインが許可された場合、前記認証サーバを介して前記所定のネットワークへアクセスするアクセス手段をさらに備えたことを特徴とする情報端末装置におけるサービス利用システム。
【請求項３】
請求項２記載の情報端末装置におけるサービス利用システムにおいて、前記ウェブサーバは、前記情報端末装置が前記アクセス手段により前記所定のネットワークにアクセスし、続いて該所定のネットワークに接続された認証を要するサーバへのアクセスを要求する場合、前記移動情報端末装置が購入要求情報を送信した際に該認証を行う認証手段をさらに備えたことを特徴とする情報端末装置におけるサービス利用システム。
【請求項４】
請求項２又は３記載の情報端末装置におけるサービス利用システムにおいて、前記購入要求情報送信手段により前記ウェブサーバへ送信される購入要求情報は前記移動情報端末装置の識別子を含み、前記生成要求送信手段により前記設定発行サーバへ送信される生成要求は該移動情報端末装置の識別子を含み、前記実現情報送信手段により生成される設定情報は該移動情報端末装置の識別子を用いて一部又は全部が暗号化され、前記実現情報送信手段により生成される通信情報は該移動情報端末装置の識別子と所定の乱数とを用いて一部又は全部が暗号化されており、
前記サービス提供ソフトウェア実行手段は、前記移動情報端末装置と接続された状態で、前記情報記録手段により前記移動情報端末装置側の記録部に記録された実現情報及びサービス提供ソフトウェアと該移動情報端末装置の識別子とを該情報端末装置側の記録部にロードし、該実現情報に含まれる設定情報を該移動情報端末装置の識別子を用いて復号化した後、該サービス提供ソフトウェアの設定を行ない、該移動情報端末装置の識別子及び該実現情報に含まれる通信情報を前記認証サーバ側へ送信してログイン要求を行い、
前記通信情報送信手段は、前記サービス提供ソフトウェア実行手段により前記情報端末装置から送信された前記移動情報端末装置の識別子及び通信情報を前記設定発行サーバへ送信し、
前記ログイン許否手段は、前記所定の乱数と前記通信情報送信手段により送信された前記移動情報端末装置の識別子とを用いて通信情報を復号化し、該通信情報が該設定発行サーバにより生成されたか否かに基づきログインの許否を行うことを特徴とする情報端末装置におけるサービス利用システム。
【請求項５】
請求項２乃至４のいずれかに記載の情報端末装置におけるサービス利用システムにおいて、前記別の通信メディアは無線ＬＡＮであることを特徴とする情報端末装置におけるサービス利用システム。
【請求項６】
請求項５記載の情報端末装置におけるサービス利用システムにおいて、前記ウェブサーバに接続された前記移動情報端末装置側の課金サーバをさらに備え、該課金サーバは、無線ＬＡＮの通信料を該移動情報端末装置の通信料と一括して課金することを特徴とする情報端末装置におけるサービス利用システム。
【請求項７】
請求項１乃至６のいずれかに記載の情報端末装置におけるサービス利用システムにおいて、前記サービス提供ソフトウェアは、前記サービス提供ソフトウェア実行手段の実行中に不足する情報があると判断した場合、前記移動情報端末装置を介して前記ウェブサーバから不足する情報を取得することを特徴とする情報端末装置におけるサービス利用システム。
【請求項８】
請求項１乃至７のいずれかに記載の情報端末装置におけるサービス利用システムにおいて、前記移動情報端末装置は携帯電話器であり、前記情報端末装置はパーソナルコンピュータであることを特徴とする情報端末装置におけるサービス利用システム。
【請求項９】
ソフトウェアの配信を行う配信サイトが稼動するウェブサーバと通信メディアを介して接続され、情報端末装置と接続可能な移動情報端末装置が通信を行うための通信プログラムであって、該移動情報端末装置のコンピュータを、
前記ウェブサーバから送受信用ソフトウェアをダウンロードする送受信用ソフトウェアダウンロード手段、
前記送受信用ソフトウェアダウンロード手段によりダウンロードした送受信用ソフトウェアを用いて、所定のサービスを購入する購入要求情報を前記ウェブサーバへ送信する購入要求情報送信手段、
前記ウェブサーバから送信された所定のサービスを提供するサービス提供ソフトウェアを移動情報端末装置側の記録部に記録する情報記録手段として機能させるための通信プログラムであり、
前記サービス提供ソフトウェアは、前記ウェブサーバが、前記購入要求情報送信手段により送信された購入要求情報に基づき送信するものであり、前記移動情報端末装置と接続された状態の前記情報端末装置が該情報端末装置側の記録部にロードし実行するものであることを特徴とする通信プログラム。
【請求項１０】
請求項９記載の通信プログラムにおいて、
前記ウェブサーバが、前記購入要求情報送信手段により送信された購入要求情報により示される所定のサービスの実現に要する実現情報の生成要求を該ウェブサーバに接続された設定発行サーバへ送信し、
前記設定発行サーバが、前記ウェブサーバから送信された生成要求に基づき、所定のサービスの設定に用いる設定情報と、該設定発行サーバと接続された認証サーバであって且つ前記通信メディアとは別の通信メディアを介して前記情報端末装置と接続された認証サーバを介し前記情報端末装置が所定のネットワークにアクセスする際に要する通信情報とを含む実現情報を生成し、該実現情報を該ウェブサーバへ送信し、
前記ウェブサーバが、前記購入要求情報送信手段により送信された購入要求情報に基づき、サービス提供ソフトウェアと前記設定発行サーバから送信された実現情報とを前記移動情報端末装置へ送信し、
前記情報記録手段は、前記ウェブサーバから送信されたサービス提供ソフトウェア及び実現情報を前記移動情報端末装置側の記録部に記録し、
前記実現情報及びサービス提供ソフトウェアは、前記移動情報端末装置と接続された状態の情報端末装置が、該情報端末装置側の記録部にロードし、該実現情報に含まれる設定情報を用いて該サービス提供ソフトウェアの設定を行ない、該実現情報に含まれる通信情報を前記認証サーバ側へ送信してログイン要求を行い、
前記認証サーバが、前記情報端末装置から送信された通信情報を前記設定発行サーバへ送信し、
前記設定発行サーバが、前記認証サーバから送信された通信情報に基づき、前記情報端末装置が所定のネットワークにアクセスする場合のログインの許否を行い、
前記情報端末装置は、前記設定発行サーバによりログインが許可された場合、前記認証サーバを介して前記所定のネットワークへアクセスすることを特徴とする通信プログラム。
【請求項１１】
請求項１０記載の通信プログラムにおいて、前記購入要求情報送信手段により前記ウェブサーバへ送信される購入要求情報は前記移動情報端末装置の識別子を含み、前記ウェブサーバから前記設定発行サーバへ送信される生成要求は該移動情報端末装置の識別子を含み、前記設定発行サーバにより生成される設定情報は該移動情報端末装置の識別子を用いて一部又は全部が暗号化され、前記設定発行サーバにより生成される通信情報は該移動情報端末装置の識別子と所定の乱数とを用いて一部又は全部が暗号化されており、
前記移動情報端末装置と接続された状態の情報端末装置が、前記情報記録手段により前記移動情報端末装置側の記録部に記録された実現情報及びサービス提供ソフトウェアと該移動情報端末装置の識別子とを該情報端末装置側の記録部にロードし、該実現情報に含まれる設定情報を該移動情報端末装置の識別子を用いて復号化した後、該サービス提供ソフトウェアの設定を行ない、該移動情報端末装置の識別子及び該実現情報に含まれる通信情報を前記認証サーバ側へ送信してログイン要求を行い、
前記認証サーバが、前記情報端末装置から送信された前記移動情報端末装置の識別子及び通信情報を前記設定発行サーバへ送信し、
前記設定発行サーバが、前記所定の乱数と前記認証サーバから送信された前記移動情報端末装置の識別子とを用いて通信情報を復号化し、該通信情報が該設定発行サーバにより生成されたか否かに基づきログインの許否を行うことを特徴とする通信プログラム。
【請求項１２】
ソフトウェアの配信を行う配信サイトが稼動するウェブサーバに通信メディアを介して接続された移動情報端末装置と接続可能な情報端末装置が通信を行うための通信プログラムであって、
前記移動情報端末装置が、前記ウェブサーバからダウンロードした送受信用ソフトウェアを用いて、所定のサービスを購入する購入要求情報を前記ウェブサーバへ送信し、
前記ウェブサーバが、送信された購入要求情報に基づき、サービス提供ソフトウェアを前記移動情報端末装置へ送信し、
前記移動情報端末装置が、前記ウェブサーバから送信されたサービス提供ソフトウェアを移動情報端末装置側の記録部に記録するものであり、
前記情報端末装置のコンピュータを、
該移動情報端末装置と接続された状態で、該移動情報端末装置側の記録部に記録されたサービス提供ソフトウェアを該情報端末装置側の記録部にロードし、該サービス提供ソフトウェアを実行するサービス提供ソフトウェア実行手段として機能させるための通信プログラム。
【請求項１３】
請求項１２記載の通信プログラムにおいて、
前記ウェブサーバが、前記移動情報端末装置から送信された購入要求情報により示される所定のサービスの実現に要する実現情報の生成要求を該ウェブサーバに接続された設定発行サーバへ送信し、
前記設定発行サーバが、送信された生成要求に基づき、所定のサービスの設定に用いる設定情報と、該設定発行サーバと接続された認証サーバであって且つ前記通信メディアとは別の通信メディアを介して前記情報端末装置と接続された認証サーバを介し前記情報端末装置が所定のネットワークにアクセスする際に要する通信情報とを含む実現情報を生成し、該実現情報を該ウェブサーバへ送信し、
前記ウェブサーバが、前記移動情報端末装置から送信された購入要求情報に基づき、サービス提供ソフトウェアと前記設定発行サーバから送信された実現情報とを該移動情報端末装置へ送信し、
前記移動情報端末装置が、送信されたサービス提供ソフトウェア及び実現情報を該移動情報端末装置側の記録部に記録し、
前記サービス提供ソフトウェア実行手段は、前記移動情報端末装置と接続された状態で、該移動情報端末装置側の記録部に記録された実現情報及びサービス提供ソフトウェアを該情報端末装置側の記録部にロードし、該実現情報に含まれる設定情報を用いて該サービス提供ソフトウェアの設定を行ない、該実現情報に含まれる通信情報を前記認証サーバ側へ送信してログイン要求を行い、
前記認証サーバが、前記サービス提供ソフトウェア実行手段により前記情報端末装置から送信された通信情報を前記設定発行サーバへ送信し、
前記設定発行サーバが、送信された通信情報に基づき、前記情報端末装置が所定のネットワークにアクセスする場合のログインの許否を行うものであり、
前記設定発行サーバによりログインが許可された場合、前記認証サーバを介して前記所定のネットワークへアクセスするアクセス手段をさらに備えたことを特徴とする通信プログラム。
【請求項１４】
請求項１３記載の通信プログラムにおいて、該情報端末装置が前記アクセス手段により前記所定のネットワークにアクセスし、続いて該所定のネットワークに接続された認証を要するサーバへのアクセスを要求する場合、前記ウェブサーバが、該移動情報端末装置が購入要求情報を送信した際に該認証を行うこと特徴とする通信プログラム。
【請求項１５】
請求項１３又は１４記載の通信プログラムにおいて、前記移動情報端末装置から前記ウェブサーバへ送信される購入要求情報は該移動情報端末装置の識別子を含み、前記ウェブサーバから前記設定発行サーバへ送信される生成要求は該移動情報端末装置の識別子を含み、前記設定発行サーバにより生成される設定情報は該移動情報端末装置の識別子を用いて一部又は全部が暗号化され、前記設定発行サーバにより生成される通信情報は該移動情報端末装置の識別子と所定の乱数とを用いて一部又は全部が暗号化されており、
前記サービス提供ソフトウェア実行手段は、前記移動情報端末装置と接続された状態で、前記移動情報端末装置側の記録部に記録された実現情報及びサービス提供ソフトウェアと該移動情報端末装置の識別子とを該情報端末装置側の記録部にロードし、該実現情報に含まれる設定情報を該移動情報端末装置の識別子を用いて復号化した後、該サービス提供ソフトウェアの設定を行ない、該移動情報端末装置の識別子及び該実現情報に含まれる通信情報を前記認証サーバ側へ送信してログイン要求を行い、
前記認証サーバが、前記サービス提供ソフトウェア実行手段により前記情報端末装置から送信された前記移動情報端末装置の識別子及び通信情報を前記設定発行サーバへ送信し、
前記設定発行サーバが、前記所定の乱数と前記認証サーバから送信された前記移動情報端末装置の識別子とを用いて通信情報を復号化し、該通信情報が該設定発行サーバにより生成されたか否かに基づきログインの許否を行うことを特徴とする通信プログラム。
【請求項１６】
請求項１０、１１、１３、１４又は１５に記載の通信プログラムにおいて、前記別の通信メディアは無線ＬＡＮであることを特徴とする通信プログラム。
【請求項１７】
請求項１６記載の通信プログラムにおいて、前記ウェブサーバに接続された前記移動情報端末装置側の課金サーバが、無線ＬＡＮの通信料を該移動情報端末装置の通信料と一括して課金することを特徴とする通信プログラム。
【請求項１８】
請求項９乃至１７のいずれかに記載の通信プログラムにおいて、前記サービス提供ソフトウェアは、前記サービス提供ソフトウェア実行手段の実行中に不足する情報があると判断した場合、前記移動情報端末装置を介して前記ウェブサーバから不足する情報を取得することを特徴とする通信プログラム。
【請求項１９】
請求項９乃至１８のいずれかに記載の通信プログラムにおいて、前記移動情報端末装置は携帯電話器であり、該情報端末装置はパーソナルコンピュータであることを特徴とする通信プログラム。
【請求項２０】
請求項９乃至１９のいずれかに記載の通信プログラムを記録したコンピュータ読取り可能な記録媒体。
【請求項２１】
ソフトウェアの配信を行う配信サイトが稼動するウェブサーバに通信メディアを介して接続された移動情報端末装置と、該移動情報端末装置と接続可能な情報端末装置と用いた情報端末装置におけるサービス利用方法であって、
前記移動情報端末装置が、
前記ウェブサーバから送受信用ソフトウェアをダウンロードする送受信用ソフトウェアダウンロードステップと、
前記送受信用ソフトウェアダウンロードステップでダウンロードした送受信用ソフトウェアを用いて、所定のサービスを購入する購入要求情報を前記ウェブサーバへ送信する購入要求情報送信ステップと、
前記ウェブサーバが、前記購入要求情報送信ステップで送信された購入要求情報に基づき、所定のサービスを提供するサービス提供ソフトウェアを前記移動情報端末装置へ送信するサービス提供ソフトウェア送信ステップと、
前記移動情報端末装置が、前記サービス提供ソフトウェア送信ステップで送信されたサービス提供ソフトウェアを該移動情報端末装置側の記録部に記録する情報記録ステップと、
前記移動情報端末装置と接続された前記情報端末装置が、
前記情報記録ステップで前記移動情報端末装置側の記録部に記録されたサービス提供ソフトウェアを該情報端末装置側の記録部にロードし、該サービス提供ソフトウェアを実行するサービス提供ソフトウェア実行ステップとを備えたことを特徴とする情報端末装置におけるサービス利用方法。
【請求項２２】
請求項２１記載の情報端末装置におけるサービス利用方法において、前記サービス提供ソフトウェア送信ステップに先立ち、
前記ウェブサーバが、
購入要求情報により示される所定のサービスの実現に要する実現情報の生成要求を該ウェブサーバに接続された設定発行サーバへ送信する生成要求送信ステップと、
前記設定発行サーバが、前記生成要求送信ステップで送信された生成要求に基づき、所定のサービスの設定に用いる設定情報と、前記情報端末装置が前記通信メディアとは別の通信メディア及び該別の通信メディアの認証サーバを介して所定のネットワークにアクセスする際に要する通信情報とを含む実現情報を生成し、該実現情報を該ウェブサーバへ送信する実現情報送信ステップとをさらに備え、
前記サービス提供ソフトウェア送信ステップは、前記ウェブサーバが、前記購入要求情報送信ステップで送信された購入要求情報に基づき、所定のサービスを提供するサービス提供ソフトウェアと、前記実現情報送信ステップで送信された実現情報とを前記移動情報端末装置へ送信し、
前記情報記録ステップは、前記移動情報端末装置が、前記サービス提供ソフトウェア送信ステップで送信されたサービス提供ソフトウェア及び実現情報を該移動情報端末装置側の記録部に記録し、
前記サービス提供ソフトウェア実行ステップは、前記移動情報端末装置と接続された前記情報端末装置が、前記情報記録ステップで前記移動情報端末装置側の記録部に記録された実現情報及びサービス提供ソフトウェアを該情報端末装置側の記録部にロードし、該実現情報に含まれる設定情報を用いて該サービス提供ソフトウェアの設定を行ない、該実現情報に含まれる通信情報を前記認証サーバ側へ送信してログイン要求を行い、
前記認証サーバが、前記サービス提供ソフトウェア実行ステップで前記情報端末装置から送信された通信情報を該認証サーバと接続された前記設定発行サーバへ送信する通信情報送信ステップと、
前記設定発行サーバが、前記通信情報送信ステップで送信された通信情報に基づきログインの許否を行うログイン許否ステップと、
前記ログイン許否ステップでログインが許可された場合、前記情報端末装置が、前記認証サーバを介して前記所定のネットワークへアクセスするアクセスステップとをさらに備えたことを特徴とする情報端末装置におけるサービス利用方法。
【請求項２３】
請求項２２記載の情報端末装置におけるサービス利用方法において、前記アクセスステップに続き、前記所定のネットワークに接続された認証を要するサーバへのアクセスを要求する場合、前記生成要求送信ステップに先立ち、前記ウェブサーバが、該認証を行う認証ステップをさらに備えたことを特徴とする情報端末装置におけるサービス利用方法。
【請求項２４】
請求項２２又は２３記載の情報端末装置におけるサービス利用方法において、前記購入要求情報送信ステップで前記ウェブサーバへ送信される購入要求情報は前記移動情報端末装置の識別子を含み、前記生成要求送信ステップで前記設定発行サーバへ送信される生成要求は該移動情報端末装置の識別子を含み、前記実現情報送信ステップで生成される設定情報は該移動情報端末装置の識別子を用いて一部又は全部が暗号化され、前記実現情報送信ステップで生成される通信情報は該移動情報端末装置の識別子と所定の乱数とを用いて一部又は全部が暗号化され、
前記サービス提供ソフトウェア実行ステップは、前記移動情報端末装置と接続された前記情報端末装置が、前記情報記録ステップで前記移動情報端末装置側の記録部に記録された実現情報及びサービス提供ソフトウェアと該移動情報端末装置の識別子とを該情報端末装置側の記録部にロードし、該実現情報に含まれる設定情報を該移動情報端末装置の識別子を用いて復号化した後、該サービス提供ソフトウェアの設定を行ない、該移動情報端末装置の識別子及び該実現情報に含まれる通信情報を前記認証サーバ側へ送信してログイン要求を行い、
前記通信情報送信ステップは、前記サービス提供ソフトウェア実行ステップで前記情報端末装置から送信された前記移動情報端末装置の識別子及び通信情報を前記設定発行サーバへ送信し、
前記ログイン許否ステップは、前記設定発行サーバが、前記所定の乱数と前記通信情報送信ステップで送信された前記移動情報端末装置の識別子とを用いて通信情報を復号化し、該通信情報が該設定発行サーバにより生成されたか否かに基づきログインの許否を行うことを特徴とする情報端末装置におけるサービス利用方法。
【請求項２５】
請求項２２乃至２４のいずれかに記載の情報端末装置におけるサービス利用方法において、前記別の通信メディアは無線ＬＡＮであることを特徴とする情報端末装置におけるサービス利用方法。
【請求項２６】
請求項２５記載の情報端末装置におけるサービス利用方法において、前記ウェブサーバに接続された前記移動情報端末装置側の課金サーバが、無線ＬＡＮの通信料を該移動情報端末装置の通信料と一括して課金することを特徴とする情報端末装置におけるサービス利用方法。
【請求項２７】
請求項２１乃至２６のいずれかに記載の情報端末装置におけるサービス利用方法において、サービス提供ソフトウェアが、前記サービス提供ソフトウェア実行ステップの実行中に不足する情報があると判断した場合、前記移動情報端末装置を介して前記ウェブサーバから不足する情報を取得することを特徴とする情報端末装置におけるサービス利用方法。
【請求項２８】
請求項２１乃至２７のいずれかに記載の情報端末装置におけるサービス利用方法において、前記移動情報端末装置は携帯電話器であり、前記情報端末装置はパーソナルコンピュータであることを特徴とする情報端末装置におけるサービス利用方法。
【発明の詳細な説明】
【技術分野】
【０００１】
本発明は、ソフトウェアの配信を行う配信サイトが稼動するウェブサーバと、当該ウェブサーバに通信メディアを介して接続された移動情報端末装置と、当該移動情報端末装置と接続可能な情報端末装置と備えた情報端末装置におけるサービス利用システム等に関する。
【背景技術】
【０００２】
近年、種々のパーソナルコンピュータ（以下、「ＰＣ」と省略する。）用ソフトウェアが販売されている。これらのソフトウェアを利用するためには、ＰＣ側に様々な設定を行なう必要があることが一般的である。しかし、当該ソフトウェアは使い慣れていないことが多いため、当該ソフトウェアを利用するための設定は敬遠されてしまい、当該ソフトウェアの購入が見送られてしまうことがある。一方、近年、無線ＬＡＮスポットにおけるモバイル通信環境の整備が進められている。各所の無線ＬＡＮスポットにおいて無線ＬＡＮという通信メディアを利用するためには、セキュリティ対策としてパーソナルコンピュータ側でＳＳＩＤ（Service Set Identifier）およびＷＥＰ（Wired Equivalent Privacy）の設定を行うことが一般的である（非特許文献１参照）。しかし、各所の無線ＬＡＮスポットにおいて無線ＬＡＮという通信メディアを利用した経験が少ない場合、無線ＬＡＮスポットの位置が不明であったり上記設定方法等がよくわからないため、当該通信メディアの利用をあきらめてしまうケースが多い。この結果、無線ＬＡＮスポットにおけるモバイル通信の利用は未だ盛んになっているとは言えない状況である。そこで、各所の無線ＬＡＮスポットを自動的に探したり上記設定を自動的に行なう自動設定ソフトウェアの配信およびオンラインサインアップが行われている。自動設定ソフトウェアはＣＤ−ＲＯＭ等の静的なメディアで配布されていることもある。
【０００３】
【非特許文献１】総務省、“一般利用者のためのセキュリティ対策  無線ＬＡＮにおける危険性”、［online］、平成１８年５月３１日、［平成１８年１２月３日検索］、インターネット<URL:http://www.soumu.go.jp/joho_tsusin/security/enduser/ippan12.htm>
【発明の開示】
【発明が解決しようとする課題】
【０００４】
上述のように、ＰＣ用ソフトウェアを利用するためには、ＰＣ側に様々な設定を行なう必要があることが一般的であるが、当該ソフトウェアは使い慣れていないことが多いため、当該ソフトウェアを利用するための設定は敬遠され、当該ソフトウェアの購入が見送られてしまうことがあるという問題があった。ＰＣを介した通信メディア(無線ＬＡＮ)上で上記自動設定ソフトウェアの配信およびオンラインサインアップを行うことは、各所の無線ＬＡＮスポットにおいて当該通信メディア自体を利用した経験が少なく、その利用が不慣れである人には結局敬遠されてしまうことが多いという問題があった。ＣＤ−ＲＯＭ等の静的なメディアで自動設定ソフトウェアを配布することは、各ＰＣの状態に応じた設定ができないという問題があった。さらに、緊急に近くの無線ＬＡＮスポットを利用したい事態が生じた場合でも、無線ＬＡＮ事業者との契約と設定とに時間がかかるため、即時に無線ＬＡＮを利用することが困難であるという問題があった。
【０００５】
そこで、本発明の目的は、上記問題を解決するためになされたものであり、普段使い慣れていないソフトウェアであっても容易に種々のＰＣの設定を自動的に行なうことできる情報端末装置におけるサービス利用システム等を提供することにある。
【０００６】
本発明の第２の目的は、普段利用した経験が少なく、その操作方法等に不慣れであるＰＣを介した通信メディア（無線ＬＡＮ）の利用を行う場合、各所の無線ＬＡＮスポットを自動的に探すと共に各所の無線ＬＡＮスポットにおいて自動的に各ＰＣの状態に応じた設定を行ない、当該通信メディアを利用することができる情報端末装置におけるサービス利用システム等を提供することにある。
本発明の第３の目的は、緊急に近くの無線ＬＡＮスポットを利用したい事態が生じた場合、即時に無線ＬＡＮを利用することができる情報端末装置におけるサービス利用システム等を提供することにある。
【課題を解決するための手段】
【０００７】
この発明の情報端末装置におけるサービス利用システムは、ソフトウェアの配信を行う配信サイトが稼動するウェブサーバと、該ウェブサーバに通信メディアを介して接続された移動情報端末装置と、該移動情報端末装置と接続可能な情報端末装置と備えた情報端末装置におけるサービス利用システムであって、前記移動情報端末装置は、前記ウェブサーバから送受信用ソフトウェアをダウンロードする送受信用ソフトウェアダウンロード手段と、前記送受信用ソフトウェアダウンロード手段によりダウンロードした送受信用ソフトウェアを用いて、所定のサービスを購入する購入要求情報を前記ウェブサーバへ送信する購入要求情報送信手段と、前記ウェブサーバから送信された所定のサービスを提供するサービス提供ソフトウェアを移動情報端末装置側の記録部に記録する情報記録手段とを備え、前記ウェブサーバは、前記購入要求情報送信手段により送信された購入要求情報に基づき、サービス提供ソフトウェアを前記移動情報端末装置へ送信するサービス提供ソフトウェア送信手段を備え、前記情報端末装置は、前記移動情報端末装置と接続された状態で、前記情報記録手段により前記移動情報端末装置側の記録部に記録されたサービス提供ソフトウェアを該情報端末装置側の記録部にロードし、該サービス提供ソフトウェアを実行するサービス提供ソフトウェア実行手段とを備えたことを特徴とする。
【０００８】
ここで、この発明の情報端末装置におけるサービス利用システムにおいて、前記ウェブサーバに接続された設定発行サーバと、該設定発行サーバと接続され且つ前記通信メディアとは別の通信メディアを介して前記情報端末装置と接続された認証サーバとをさらに備え、前記ウェブサーバは、前記購入要求情報送信手段により送信された購入要求情報により示される所定のサービスの実現に要する実現情報の生成要求を前記設定発行サーバへ送信する生成要求送信手段をさらに備え、前記設定発行サーバは、前記生成要求送信手段により送信された生成要求に基づき、所定のサービスの設定に用いる設定情報と、前記情報端末装置が前記認証サーバを介して所定のネットワークにアクセスする際に要する通信情報とを含む実現情報を生成し、該実現情報を該ウェブサーバへ送信する実現情報送信手段と、前記認証サーバから送信された通信情報に基づき、前記情報端末装置が所定のネットワークにアクセスする場合のログインの許否を行うログイン許否手段とを備え、前記サービス提供ソフトウェア送信手段は、前記購入要求情報送信手段により送信された購入要求情報に基づき、サービス提供ソフトウェアと前記実現情報送信手段により送信された実現情報とを前記移動情報端末装置へ送信し、前記情報記録手段は、前記サービス提供ソフトウェア送信手段により送信されたサービス提供ソフトウェア及び実現情報を前記移動情報端末装置側の記録部に記録し、前記サービス提供ソフトウェア実行手段は、前記移動情報端末装置と接続された状態で、前記情報記録手段により該移動情報端末装置側の記録部に記録された実現情報及びサービス提供ソフトウェアを該情報端末装置側の記録部にロードし、該実現情報に含まれる設定情報を用いて該サービス提供ソフトウェアの設定を行ない、該実現情報に含まれる通信情報を前記認証サーバ側へ送信してログイン要求を行い、前記認証サーバは、前記サービス提供ソフトウェア実行手段により前記情報端末装置から送信された通信情報を前記設定発行サーバへ送信する通信情報送信手段を備え、前記情報端末装置は、前記ログイン許否手段によりログインが許可された場合、前記認証サーバを介して前記所定のネットワークへアクセスするアクセス手段をさらに備えることができる。
【０００９】
ここで、この発明の情報端末装置におけるサービス利用システムにおいて、前記ウェブサーバは、前記情報端末装置が前記アクセス手段により前記所定のネットワークにアクセスし、続いて該所定のネットワークに接続された認証を要するサーバへのアクセスを要求する場合、前記移動情報端末装置が購入要求情報を送信した際に該認証を行う認証手段をさらに備えることができる。
【００１０】
ここで、この発明の情報端末装置におけるサービス利用システムにおいて、前記購入要求情報送信手段により前記ウェブサーバへ送信される購入要求情報は前記移動情報端末装置の識別子を含み、前記生成要求送信手段により前記設定発行サーバへ送信される生成要求は該移動情報端末装置の識別子を含み、前記実現情報送信手段により生成される設定情報は該移動情報端末装置の識別子を用いて一部又は全部が暗号化され、前記実現情報送信手段により生成される通信情報は該移動情報端末装置の識別子と所定の乱数とを用いて一部又は全部が暗号化されており、前記サービス提供ソフトウェア実行手段は、前記移動情報端末装置と接続された状態で、前記情報記録手段により前記移動情報端末装置側の記録部に記録された実現情報及びサービス提供ソフトウェアと該移動情報端末装置の識別子とを該情報端末装置側の記録部にロードし、該実現情報に含まれる設定情報を該移動情報端末装置の識別子を用いて復号化した後、該サービス提供ソフトウェアの設定を行ない、該移動情報端末装置の識別子及び該実現情報に含まれる通信情報を前記認証サーバ側へ送信してログイン要求を行い、前記通信情報送信手段は、前記サービス提供ソフトウェア実行手段により前記情報端末装置から送信された前記移動情報端末装置の識別子及び通信情報を前記設定発行サーバへ送信し、前記ログイン許否手段は、前記所定の乱数と前記通信情報送信手段により送信された前記移動情報端末装置の識別子とを用いて通信情報を復号化し、該通信情報が該設定発行サーバにより生成されたか否かに基づきログインの許否を行うことができる。
【００１１】
ここで、この発明の情報端末装置におけるサービス利用システムにおいて、前記別の通信メディアは無線ＬＡＮとすることができる。
【００１２】
ここで、この発明の情報端末装置におけるサービス利用システムにおいて、前記ウェブサーバに接続された前記移動情報端末装置側の課金サーバをさらに備え、該課金サーバは、無線ＬＡＮの通信料を該移動情報端末装置の通信料と一括して課金することができる。
【００１３】
ここで、この発明の情報端末装置におけるサービス利用システムにおいて、前記サービス提供ソフトウェアは、前記サービス提供ソフトウェア実行手段の実行中に不足する情報があると判断した場合、前記移動情報端末装置を介して前記ウェブサーバから不足する情報を取得することができる。
【００１４】
ここで、この発明の情報端末装置におけるサービス利用システムにおいて、前記移動情報端末装置は携帯電話器であり、前記情報端末装置はパーソナルコンピュータとすることができる。
【００１５】
この発明の通信プログラムは、ソフトウェアの配信を行う配信サイトが稼動するウェブサーバと通信メディアを介して接続され、情報端末装置と接続可能な移動情報端末装置が通信を行うための通信プログラムであって、該移動情報端末装置のコンピュータを、前記ウェブサーバから送受信用ソフトウェアをダウンロードする送受信用ソフトウェアダウンロード手段、前記送受信用ソフトウェアダウンロード手段によりダウンロードした送受信用ソフトウェアを用いて、所定のサービスを購入する購入要求情報を前記ウェブサーバへ送信する購入要求情報送信手段、前記ウェブサーバから送信された所定のサービスを提供するサービス提供ソフトウェアを移動情報端末装置側の記録部に記録する情報記録手段として機能させるための通信プログラムであり、前記サービス提供ソフトウェアは、前記ウェブサーバが、前記購入要求情報送信手段により送信された購入要求情報に基づき送信するものであり、前記移動情報端末装置と接続された状態の前記情報端末装置が該情報端末装置側の記録部にロードし実行するものであることを特徴とする。
【００１６】
ここで、この発明の通信プログラムにおいて、前記ウェブサーバが、前記購入要求情報送信手段により送信された購入要求情報により示される所定のサービスの実現に要する実現情報の生成要求を該ウェブサーバに接続された設定発行サーバへ送信し、前記設定発行サーバが、前記ウェブサーバから送信された生成要求に基づき、所定のサービスの設定に用いる設定情報と、該設定発行サーバと接続された認証サーバであって且つ前記通信メディアとは別の通信メディアを介して前記情報端末装置と接続された認証サーバを介し前記情報端末装置が所定のネットワークにアクセスする際に要する通信情報とを含む実現情報を生成し、該実現情報を該ウェブサーバへ送信し、前記ウェブサーバが、前記購入要求情報送信手段により送信された購入要求情報に基づき、サービス提供ソフトウェアと前記設定発行サーバから送信された実現情報とを前記移動情報端末装置へ送信し、前記情報記録手段は、前記ウェブサーバから送信されたサービス提供ソフトウェア及び実現情報を前記移動情報端末装置側の記録部に記録し、前記実現情報及びサービス提供ソフトウェアは、前記移動情報端末装置と接続された状態の情報端末装置が、該情報端末装置側の記録部にロードし、該実現情報に含まれる設定情報を用いて該サービス提供ソフトウェアの設定を行ない、該実現情報に含まれる通信情報を前記認証サーバ側へ送信してログイン要求を行い、前記認証サーバが、前記情報端末装置から送信された通信情報を前記設定発行サーバへ送信し、前記設定発行サーバが、前記認証サーバから送信された通信情報に基づき、前記情報端末装置が所定のネットワークにアクセスする場合のログインの許否を行い、前記情報端末装置は、前記設定発行サーバによりログインが許可された場合、前記認証サーバを介して前記所定のネットワークへアクセスすることができる。
【００１７】
ここで、この発明の通信プログラムにおいて、前記購入要求情報送信手段により前記ウェブサーバへ送信される購入要求情報は前記移動情報端末装置の識別子を含み、前記ウェブサーバから前記設定発行サーバへ送信される生成要求は該移動情報端末装置の識別子を含み、前記設定発行サーバにより生成される設定情報は該移動情報端末装置の識別子を用いて一部又は全部が暗号化され、前記設定発行サーバにより生成される通信情報は該移動情報端末装置の識別子と所定の乱数とを用いて一部又は全部が暗号化されており、前記移動情報端末装置と接続された状態の情報端末装置が、前記情報記録手段により前記移動情報端末装置側の記録部に記録された実現情報及びサービス提供ソフトウェアと該移動情報端末装置の識別子とを該情報端末装置側の記録部にロードし、該実現情報に含まれる設定情報を該移動情報端末装置の識別子を用いて復号化した後、該サービス提供ソフトウェアの設定を行ない、該移動情報端末装置の識別子及び該実現情報に含まれる通信情報を前記認証サーバ側へ送信してログイン要求を行い、前記認証サーバが、前記情報端末装置から送信された前記移動情報端末装置の識別子及び通信情報を前記設定発行サーバへ送信し、前記設定発行サーバが、前記所定の乱数と前記認証サーバから送信された前記移動情報端末装置の識別子とを用いて通信情報を復号化し、該通信情報が該設定発行サーバにより生成されたか否かに基づきログインの許否を行うことができる。
【００１８】
この発明の通信プログラムは、ソフトウェアの配信を行う配信サイトが稼動するウェブサーバに通信メディアを介して接続された移動情報端末装置と接続可能な情報端末装置が通信を行うための通信プログラムであって、前記移動情報端末装置が、前記ウェブサーバからダウンロードした送受信用ソフトウェアを用いて、所定のサービスを購入する購入要求情報を前記ウェブサーバへ送信し、前記ウェブサーバが、送信された購入要求情報に基づき、サービス提供ソフトウェアを前記移動情報端末装置へ送信し、前記移動情報端末装置が、前記ウェブサーバから送信されたサービス提供ソフトウェアを移動情報端末装置側の記録部に記録するものであり、前記情報端末装置のコンピュータを、該移動情報端末装置と接続された状態で、該移動情報端末装置側の記録部に記録されたサービス提供ソフトウェアを該情報端末装置側の記録部にロードし、該サービス提供ソフトウェアを実行するサービス提供ソフトウェア実行手段として機能させるための通信プログラムである。
【００１９】
ここで、この発明の通信プログラムにおいて、前記ウェブサーバが、前記移動情報端末装置から送信された購入要求情報により示される所定のサービスの実現に要する実現情報の生成要求を該ウェブサーバに接続された設定発行サーバへ送信し、前記設定発行サーバが、送信された生成要求に基づき、所定のサービスの設定に用いる設定情報と、該設定発行サーバと接続された認証サーバであって且つ前記通信メディアとは別の通信メディアを介して前記情報端末装置と接続された認証サーバを介し前記情報端末装置が所定のネットワークにアクセスする際に要する通信情報とを含む実現情報を生成し、該実現情報を該ウェブサーバへ送信し、前記ウェブサーバが、前記移動情報端末装置から送信された購入要求情報に基づき、サービス提供ソフトウェアと前記設定発行サーバから送信された実現情報とを該移動情報端末装置へ送信し、前記移動情報端末装置が、送信されたサービス提供ソフトウェア及び実現情報を該移動情報端末装置側の記録部に記録し、前記サービス提供ソフトウェア実行手段は、前記移動情報端末装置と接続された状態で、該移動情報端末装置側の記録部に記録された実現情報及びサービス提供ソフトウェアを該情報端末装置側の記録部にロードし、該実現情報に含まれる設定情報を用いて該サービス提供ソフトウェアの設定を行ない、該実現情報に含まれる通信情報を前記認証サーバ側へ送信してログイン要求を行い、前記認証サーバが、前記サービス提供ソフトウェア実行手段により前記情報端末装置から送信された通信情報を前記設定発行サーバへ送信し、前記設定発行サーバが、送信された通信情報に基づき、前記情報端末装置が所定のネットワークにアクセスする場合のログインの許否を行うものであり、前記設定発行サーバによりログインが許可された場合、前記認証サーバを介して前記所定のネットワークへアクセスするアクセス手段をさらに備えることができる。
【００２０】
ここで、この発明の通信プログラムにおいて、該情報端末装置が前記アクセス手段により前記所定のネットワークにアクセスし、続いて該所定のネットワークに接続された認証を要するサーバへのアクセスを要求する場合、前記ウェブサーバが、該移動情報端末装置が購入要求情報を送信した際に該認証を行うことができる。
【００２１】
ここで、この発明の通信プログラムにおいて、前記移動情報端末装置から前記ウェブサーバへ送信される購入要求情報は該移動情報端末装置の識別子を含み、前記ウェブサーバから前記設定発行サーバへ送信される生成要求は該移動情報端末装置の識別子を含み、前記設定発行サーバにより生成される設定情報は該移動情報端末装置の識別子を用いて一部又は全部が暗号化され、前記設定発行サーバにより生成される通信情報は該移動情報端末装置の識別子と所定の乱数とを用いて一部又は全部が暗号化されており、前記サービス提供ソフトウェア実行手段は、前記移動情報端末装置と接続された状態で、前記移動情報端末装置側の記録部に記録された実現情報及びサービス提供ソフトウェアと該移動情報端末装置の識別子とを該情報端末装置側の記録部にロードし、該実現情報に含まれる設定情報を該移動情報端末装置の識別子を用いて復号化した後、該サービス提供ソフトウェアの設定を行ない、該移動情報端末装置の識別子及び該実現情報に含まれる通信情報を前記認証サーバ側へ送信してログイン要求を行い、前記認証サーバが、前記サービス提供ソフトウェア実行手段により前記情報端末装置から送信された前記移動情報端末装置の識別子及び通信情報を前記設定発行サーバへ送信し、前記設定発行サーバが、前記所定の乱数と前記認証サーバから送信された前記移動情報端末装置の識別子とを用いて通信情報を復号化し、該通信情報が該設定発行サーバにより生成されたか否かに基づきログインの許否を行うことができる。
【００２２】
ここで、この発明の通信プログラムにおいて、前記別の通信メディアは無線ＬＡＮとすることができる。
【００２３】
ここで、この発明の通信プログラムにおいて、前記ウェブサーバに接続された前記移動情報端末装置側の課金サーバが、無線ＬＡＮの通信料を該移動情報端末装置の通信料と一括して課金することができる。
【００２４】
ここで、この発明の通信プログラムにおいて、前記サービス提供ソフトウェアは、前記サービス提供ソフトウェア実行手段の実行中に不足する情報があると判断した場合、前記移動情報端末装置を介して前記ウェブサーバから不足する情報を取得することができる。
【００２５】
ここで、この発明の通信プログラムにおいて、前記移動情報端末装置は携帯電話器であり、該情報端末装置はパーソナルコンピュータとすることができる。
【００２６】
この発明の記録媒体は、本発明のいずれかの通信プログラムを記録したコンピュータ読取り可能な記録媒体である。
【００２７】
この発明の情報端末装置におけるサービス利用方法は、ソフトウェアの配信を行う配信サイトが稼動するウェブサーバに通信メディアを介して接続された移動情報端末装置と、該移動情報端末装置と接続可能な情報端末装置と用いた情報端末装置におけるサービス利用方法であって、前記移動情報端末装置が、前記ウェブサーバから送受信用ソフトウェアをダウンロードする送受信用ソフトウェアダウンロードステップと、前記送受信用ソフトウェアダウンロードステップでダウンロードした送受信用ソフトウェアを用いて、所定のサービスを購入する購入要求情報を前記ウェブサーバへ送信する購入要求情報送信ステップと、前記ウェブサーバが、前記購入要求情報送信ステップで送信された購入要求情報に基づき、所定のサービスを提供するサービス提供ソフトウェアを前記移動情報端末装置へ送信するサービス提供ソフトウェア送信ステップと、前記移動情報端末装置が、前記サービス提供ソフトウェア送信ステップで送信されたサービス提供ソフトウェアを該移動情報端末装置側の記録部に記録する情報記録ステップと、前記移動情報端末装置と接続された前記情報端末装置が、前記情報記録ステップで前記移動情報端末装置側の記録部に記録されたサービス提供ソフトウェアを該情報端末装置側の記録部にロードし、該サービス提供ソフトウェアを実行するサービス提供ソフトウェア実行ステップとを備えたことを特徴とする。
【００２８】
ここで、この発明の情報端末装置におけるサービス利用方法において、前記サービス提供ソフトウェア送信ステップに先立ち、前記ウェブサーバが、購入要求情報により示される所定のサービスの実現に要する実現情報の生成要求を該ウェブサーバに接続された設定発行サーバへ送信する生成要求送信ステップと、前記設定発行サーバが、前記生成要求送信ステップで送信された生成要求に基づき、所定のサービスの設定に用いる設定情報と、前記情報端末装置が前記通信メディアとは別の通信メディア及び該別の通信メディアの認証サーバを介して所定のネットワークにアクセスする際に要する通信情報とを含む実現情報を生成し、該実現情報を該ウェブサーバへ送信する実現情報送信ステップとをさらに備え、前記サービス提供ソフトウェア送信ステップは、前記ウェブサーバが、前記購入要求情報送信ステップで送信された購入要求情報に基づき、所定のサービスを提供するサービス提供ソフトウェアと、前記実現情報送信ステップで送信された実現情報とを前記移動情報端末装置へ送信し、前記情報記録ステップは、前記移動情報端末装置が、前記サービス提供ソフトウェア送信ステップで送信されたサービス提供ソフトウェア及び実現情報を該移動情報端末装置側の記録部に記録し、前記サービス提供ソフトウェア実行ステップは、前記移動情報端末装置と接続された前記情報端末装置が、前記情報記録ステップで前記移動情報端末装置側の記録部に記録された実現情報及びサービス提供ソフトウェアを該情報端末装置側の記録部にロードし、該実現情報に含まれる設定情報を用いて該サービス提供ソフトウェアの設定を行ない、該実現情報に含まれる通信情報を前記認証サーバ側へ送信してログイン要求を行い、前記認証サーバが、前記サービス提供ソフトウェア実行ステップで前記情報端末装置から送信された通信情報を該認証サーバと接続された前記設定発行サーバへ送信する通信情報送信ステップと、前記設定発行サーバが、前記通信情報送信ステップで送信された通信情報に基づきログインの許否を行うログイン許否ステップと、前記ログイン許否ステップでログインが許可された場合、前記情報端末装置が、前記認証サーバを介して前記所定のネットワークへアクセスするアクセスステップとをさらに備えることができる。
【００２９】
ここで、この発明の情報端末装置におけるサービス利用方法において、前記アクセスステップに続き、前記所定のネットワークに接続された認証を要するサーバへのアクセスを要求する場合、前記生成要求送信ステップに先立ち、前記ウェブサーバが、該認証を行う認証ステップをさらに備えることができる。
【００３０】
ここで、この発明の情報端末装置におけるサービス利用方法において、前記購入要求情報送信ステップで前記ウェブサーバへ送信される購入要求情報は前記移動情報端末装置の識別子を含み、前記生成要求送信ステップで前記設定発行サーバへ送信される生成要求は該移動情報端末装置の識別子を含み、前記実現情報送信ステップで生成される設定情報は該移動情報端末装置の識別子を用いて一部又は全部が暗号化され、前記実現情報送信ステップで生成される通信情報は該移動情報端末装置の識別子と所定の乱数とを用いて一部又は全部が暗号化され、前記サービス提供ソフトウェア実行ステップは、前記移動情報端末装置と接続された前記情報端末装置が、前記情報記録ステップで前記移動情報端末装置側の記録部に記録された実現情報及びサービス提供ソフトウェアと該移動情報端末装置の識別子とを該情報端末装置側の記録部にロードし、該実現情報に含まれる設定情報を該移動情報端末装置の識別子を用いて復号化した後、該サービス提供ソフトウェアの設定を行ない、該移動情報端末装置の識別子及び該実現情報に含まれる通信情報を前記認証サーバ側へ送信してログイン要求を行い、前記通信情報送信ステップは、前記サービス提供ソフトウェア実行ステップで前記情報端末装置から送信された前記移動情報端末装置の識別子及び通信情報を前記設定発行サーバへ送信し、前記ログイン許否ステップは、前記設定発行サーバが、前記所定の乱数と前記通信情報送信ステップで送信された前記移動情報端末装置の識別子とを用いて通信情報を復号化し、該通信情報が該設定発行サーバにより生成されたか否かに基づきログインの許否を行うことができる。
【００３１】
ここで、この発明の情報端末装置におけるサービス利用方法において、前記別の通信メディアは無線ＬＡＮとすることができる。
【００３２】
ここで、この発明の情報端末装置におけるサービス利用方法において、前記ウェブサーバに接続された前記移動情報端末装置側の課金サーバが、無線ＬＡＮの通信料を該移動情報端末装置の通信料と一括して課金することができる。
【００３３】
ここで、この発明の情報端末装置におけるサービス利用方法において、サービス提供ソフトウェアが、前記サービス提供ソフトウェア実行ステップの実行中に不足する情報があると判断した場合、前記移動情報端末装置を介して前記ウェブサーバから不足する情報を取得することができる。
【００３４】
ここで、この発明の情報端末装置におけるサービス利用方法において、前記移動情報端末装置は携帯電話器であり、前記情報端末装置はパーソナルコンピュータとすることができる。
【発明の効果】
【００３５】
本発明の情報端末装置におけるサービス利用システム等によれば、携帯電話器が、配信サイトが稼動するウェブサーバから送受信用ソフトウェアをダウンロードし、携帯電話器側の記録媒体に記録する。ダウンロードした送受信用ソフトウェアを用いて、所定のサービスを購入する購入要求情報をウェブサーバへ送信する。ウェブサーバが、送信された購入要求情報に基づき、所定のサービスを提供するサービス提供ソフトウェアを携帯電話器へ送信する。携帯電話器が、送信されたサービス提供ソフトウェアを携帯電話器側の追加記録媒体に記録する。携帯電話器と接続されたＰＣが、携帯電話器側の追加記録媒体に記録されたサービス提供ソフトウェアをＰＣ側の記録装置等にロードし、サービス提供ソフトウェアを実行する。この結果、記憶メディアは携帯電話器側で、ＣＰＵはＰＣ側でという形態でＰＣ用ソフトウェアであるサービス提供ソフトウェアを実行することができる。このため、普段は携帯電話器をよく利用しているが、サービス提供ソフトウェアは使い慣れていないような場合であっても、使い慣れている携帯電話器を用いることにより容易にサービス提供ソフトウェアを取得し、種々のＰＣの設定を自動的に行なうことが可能となるという効果がある。
【００３６】
本発明の情報端末装置におけるサービス利用システム等によれば、携帯電話器が送受信用ソフトウェアをダウンロードし、購入要求情報を送信した後、ウェブサーバがサービス提供ソフトウェアを送信するのに先立ち、ウェブサーバが購入要求情報により示される所定のサービスの実現に要する実現情報の生成要求をウェブサーバに接続された設定発行サーバへ送信する。次に、設定発行サーバが、送信された生成要求に基づき、所定のサービスの設定に用いる設定情報と、ＰＣが移動体通信網（通信メディア）とは別の通信メディア（無線ＬＡＮ）および当該別の通信メディアの認証サーバを介してインターネットにアクセスする際に要する通信情報とを含む実現情報を生成し、この実現情報をウェブサーバへ送信する。サービス提供ソフトウェア送信部は、ウェブサーバが購入要求情報送信部から送信された購入要求情報に基づき、所定のサービスを提供するサービス提供ソフトウェアと、実現情報送信部から送信された実現情報とを携帯電話器へ送信する。情報記録部は、携帯電話器がサービス提供ソフトウェア送信部から送信されたサービス提供ソフトウェアおよび実現情報を携帯電話器側の追加記録媒体に記録する。サービス提供ソフトウェア実行部は、、携帯電話器と接続されたＰＣが、情報記録部により携帯電話器側の追加記録媒体に記録された実現情報およびサービス提供ソフトウェアをＰＣ側の記録装置にロードし、実現情報に含まれる設定情報を用いてサービス提供ソフトウェアを利用するために必要な設定を行ない、実現情報に含まれる通信情報を認証サーバ側へ送信してログイン要求を行う。認証サーバが、サービス提供ソフトウェア実行部によりＰＣから送信された通信情報を認証サーバと接続された設定発行サーバへ送信する。設定発行が、通信情報送信部により送信された通信情報に基づきログインの許否を行う。ログインが許可された場合、許可が設定発行サーバから認証サーバを介してＰＣへ送られる。この結果、ＰＣが、認証サーバを介してインターネットへアクセスすることができる。この結果、普段利用した経験が少なく、その操作方法等に不慣れであるＰＣを介した通信メディア（無線ＬＡＮ）の利用を行う場合、各所の無線ＬＡＮスポットを自動的に探すと共に各所の無線ＬＡＮスポットにおいて自動的にＰＣの設定を行ない、当該通信メディアを利用することができるという効果がある。上述の通信情報は、携帯電話器側からはワンタイムパスワードのように見えるパスワードを含むため、緊急に近くの無線ＬＡＮスポットを利用したい事態が生じた場合であっても、即時に無線ＬＡＮを利用することができるという効果がある。
【発明を実施するための最良の形態】
【００３７】
以下、各実施例について図面を参照して詳細に説明する。
【実施例１】
【００３８】
図１は、本発明の実施例１における情報端末装置におけるサービス利用システム１を示す。図１において、符号３５はインターネット、３６ａはルーティング機能を有しインターネット３５と接続されたルータ、３７はルータ３６ａを介してインターネット３５と接続された電話事業者の事業者側サーバ、３２は事業者側サーバ３７と接続された電話事業者の広域網等の移動体通信網（通信メディア）、３１は移動体通信網３２に接続された基地局、１０は基地局３１のエリア内に在圏している携帯電話器（移動情報端末装置）、２０は携帯電話器１０と接続可能なＰＣ（情報端末装置）である。なお本明細書において、「携帯電話器」は携帯電話装置または携帯電話機と呼んでもよい（特許請求の範囲においても同様）。事業者側サーバ３７は携帯電話器１０の認証を行う認証サーバである。続いて、図１において、符号３６ｂはインターネット３５と接続されたルータ、４０はルータ３６ｂを介してインターネット３５と接続されたソフトウェアの配信を行う配信サイトが稼動するウェブ（Ｗｅｂ）サーバである。図１に示されるように、携帯電話器１０は移動体通信網３２を介してウェブサーバ４０と接続されている。図１では、事業者側サーバ３７とウェブサーバ４０とはＶＰＮ（Virtual Private Network）等の専用通信網３８を介して接続されているが、インターネット３５を介して接続することも可能である。携帯電話器１０とＰＣ２０との間の接続は脱着可能な接続方式、例えばＵＳＢ（Universal Serial Bus）ケーブル３０を用いることが好適である。しかし、ＵＳＢ等の接続方式に限定されるものではなく、無線等であってもよいことは勿論である。以下では、移動情報端末装置の例として携帯電話器１０を用いて説明するが、携帯電話器１０に限定されるものではなく、ＰＨＳ（Personal Handyphone System）等であってもよい。同様に、情報端末装置の例としてＰＣ２０を用いて説明するが、ＰＣ２０に限定されるものではなく、ＰＤＡ（Personal Digital Assistant）等、携帯電話器１０と接続可能な情報処理装置であれば他の装置であってもよい。
【００３９】
図１において、符号１１は携帯電話器１０が備える機能を示す機能ブロックである。機能ブロック１１において、符号１２はウェブサーバ４０から送受信用ソフトウェアＳｋをダウンロードする送受信用ソフトウェアダウンロード部（送受信用ソフトウェアダウンロード手段）、１４は送受信用ソフトウェアダウンロード部１２によりダウンロードした送受信用ソフトウェアＳｋを用いて、所定のサービスを購入する購入要求情報Ｉｂをウェブサーバ４０へ送信する購入要求情報送信部（購入要求情報送信手段）、１６はウェブサーバ４０から送信された所定のサービスを提供するサービス提供ソフトウェアＳｐを携帯電話器１０側の追加記録媒体７８（記録部。図３により後述）に記録する情報記録部（情報記録手段）である。送受信用ソフトウェアＳｋは、送受信用ソフトウェアダウンロード部１２により携帯電話器１０側の記録媒体７７（図３により後述）に記録されるが、予め記録媒体７７に記録しておくようにしてもよい。
【００４０】
図１において、符号４１はウェブサーバ４０が備える機能を示す機能ブロックである。機能ブロック４１において、符号４２は購入要求情報送信部１４により送信された購入要求情報Ｉｂに基づき、サービス提供ソフトウェアＳｐを携帯電話器１０へ送信するサービス提供ソフトウェア送信部（サービス提供ソフトウェア送信手段）である。
【００４１】
図１において、符号２１はＰＣ２０が備える機能を示す機能ブロックである。機能ブロック２１において、符号２２は、ＰＣ２０が携帯電話器１０と接続された状態で、情報記録部１６により携帯電話器１０の追加記録媒体７８に記録されたサービス提供ソフトウェアＳｐをＰＣ２０のＲＡＭ９３（記録部。図３により後述）上に読み込んで、サービス提供ソフトウェアＳｐを実行するサービス提供ソフトウェア実行部（サービス提供ソフトウェア実行手段）である。すなわち、ＰＣ２０は携帯電話器１０を外付けメディアとして利用する。
【００４２】
送受信用ソフトウェアＳｋは携帯電話器１０用のソフトウェアであり、サービス提供ソフトウェアＳｐはＰＣ２０用のソフトウェアである。サービス提供ソフトウェアＳｐは、サービス提供ソフトウェアＳｐをＰＣ２０で利用する際の種々のＰＣ２０の設定を自動的に行なう。サービス提供ソフトウェアＳｐは、当該ソフトウェアＳｐ自体の利用ではなく、他のサービスをＰＣ２０で利用する場合における種々のＰＣ２０の設定を自動的に行なうものであってもよい。
【００４３】
図２は、ＰＣ２０におけるサービス利用システム１の構成要素であるウェブサーバ４０、携帯電話器１０、ＰＣ２０で実行される各通信プログラムの流れまたはＰＣ２０におけるサービス利用方法をフローチャートで示す。図２において、左側のフローチャートはウェブサーバ４０のフローチャート、中央のフローチャートは携帯電話器１０のフローチャート、右側のフローチャートはＰＣ２０のフローチャートであり、各構成要素間の通信は点線で示す。図２に示されるように、携帯電話器１０が、ウェブサーバ４０から送受信用ソフトウェアＳｋをダウンロードする（送受信用ソフトウェアダウンロードステップ。ステップＳ１０）。送受信用ソフトウェアＳｋは、送受信用ソフトウェアダウンロードステップ（ステップＳ１０）で携帯電話器１０側の記録媒体７７に記録される。続いて、送受信用ソフトウェアダウンロードステップ（ステップＳ１０）でダウンロードした送受信用ソフトウェアＳｋを用いて、所定のサービスを購入する購入要求情報Ｉｂをウェブサーバ４０へ送信する（購入要求情報送信ステップ。ステップＳ１２）。
【００４４】
次に、ウェブサーバ４０が、購入要求情報送信ステップ（ステップＳ１２）で送信された購入要求情報Ｉｂに基づき、所定のサービスを提供するサービス提供ソフトウェアＳｐを携帯電話器１０へ送信する（サービス提供ソフトウェア送信ステップ。ステップＳ２２）。
【００４５】
携帯電話器１０が、サービス提供ソフトウェア送信ステップ（ステップＳ２２）で送信されたサービス提供ソフトウェアＳｐを携帯電話器１０側の追加記録媒体７８に記録する（情報記録ステップ。ステップＳ１４）。上述した送受信用ソフトウェアダウンロードステップ（ステップＳ１０）から情報記録ステップ（ステップＳ１４）までの間、携帯電話器１０とＰＣ２０とは接続された状態であるが、ＰＣ２０はサービス提供ソフトウェアＳｐのダウンロード完了（ステップＳ１４）により携帯電話器１０を認識するようになる。
【００４６】
携帯電話器１０と接続されたＰＣ２０が、情報記録ステップ（ステップＳ１４）で携帯電話器１０側の追加記録媒体７８に記録されたサービス提供ソフトウェアＳｐをＰＣ２０のＲＡＭ９３上に読み込み、サービス提供ソフトウェアＳｐを実行する（サービス提供ソフトウェア実行ステップ。ステップＳ３０）。具体的には、Auto-runが働いてサービス提供ソフトウェアＳｐがＰＣ２０のＲＡＭ９３上に読み込まれ、サービス提供ソフトウェアＳｐが動作開始する。このためAuto-runが働くようにサービス提供ソフトウェアＳｐと一緒に設定ファイルをダウンロードするようにしておく。
【００４７】
以上のように、携帯電話器１０を用いて移動体通信網３２を介して接続されたウェブサーバ４０からサービス提供ソフトウェアＳｐを携帯電話器１０側の追加記録媒体７８にダウンロードし、携帯電話器１０に接続されたＰＣ２０が当該ソフトウェアＳｐをＰＣ２０のＲＡＭ９３に読み込む。この結果、記憶メディアは携帯電話器１０側で、ＣＰＵ７１（図３により後述）はＰＣ２０側でという形態でＰＣ用ソフトウェアであるサービス提供ソフトウェアＳｐを実行することができる。従って、普段は携帯電話器１０をよく利用しているが、サービス提供ソフトウェアＳｐは使い慣れていないような場合であっても、使い慣れている携帯電話器１０を用いることにより容易にサービス提供ソフトウェアＳｐを取得し、種々のＰＣ２０の設定を自動的に行なうことが可能となる。
【００４８】
図３は、上述した実施例１および以下の各実施例を実現するための本発明のコンピュータ・プログラム（通信プログラム）を実行する携帯電話器１０のコンピュータの内部回路７０、ＰＣ２０のコンピュータの内部回路９０および両者の接続状態を示すブロック図である。ウェブサーバ４０（および後述する設定発行サーバ５０、認証サービス６０）のコンピュータの内部回路も同様であるため省略する。図３の携帯電話器１０の内部回路７０に示されるように、ＣＰＵ７１、ＲＯＭ７２、ＲＡＭ７３、画像制御部７６、入力制御部７９、記録媒体７７（脱着可能な記録媒体を含む）およびセレクタ８４はバス８３に接続されている。図３において、上述の本発明のコンピュータ・プログラム（携帯電話器１０側の通信プログラム）は、ＲＯＭ７２、記録媒体７７または追加記録媒体７８に記録されている。本発明のコンピュータ・プログラムは、ＲＯＭ７２または記録媒体７７からバス８３を介し、または追加記録媒体７８からセレクタ８４を経由してバス８３を介し、ＲＡＭ７３へロードされる。入力制御部７９は、各種のキー等の入力操作部８０と接続され入力制御等を行う。画像メモリであるＶＲＡＭ７５は携帯電話１０の表示部７４の少なくとも一画面分のデータ容量に相当する容量を有しており、画像制御部７６はＶＲＡＭ７５のデータを画像データへ変換して表示部７４へ送出する機能を有している。セレクタ８４と接続された入出力インタフェース（Ｉ／Ｆ）部８２は入出力インタフェース機能を有しており、ＵＳＢケーブル３０等によりＰＣ２０の入出力Ｉ／Ｆ部１０２と接続されている。記録媒体７７にはウェブサーバ４０からダウンロードした送受信用ソフトウェアＳｋが記録され、追加記録媒体７８にはウェブサーバ４０から送信されたサービス提供ソフトウェアＳｐが記録されている。本発明のコンピュータ・プログラムが実行されることにより、送受信用ソフトウェアＳｋが実行され、ウェブサーバ４０からサービス提供ソフトウェアＳｐを取得することができる。
【００４９】
図３のＰＣ２０の内部回路９０に示されるように、ＣＰＵ９１、ＲＯＭ９２、ＲＡＭ９３、画像制御部９６、コントローラ９７、入力制御部９９、移動通信網３２とは別の通信メディア（例えば図４で後述する無線ＬＡＮ３４等）とのインタフェース機能を有する別通信メディアＩ／Ｆ部１０１および入出力Ｉ／Ｆ部１０２はバス１０３に接続されている。図３において、上述の本発明のコンピュータ・プログラム（ＰＣ２０側の通信プログラム）は、ＲＯＭ９２、ＨＤ等の記録装置９８ａまたはＣＤ−ＲＯＭ９８ｎ等の記録媒体（脱着可能な記録媒体を含む）に記録されている。本発明のコンピュータ・プログラムは、ＲＯＭ９２からバス１０３を介し、または記録装置９８ａ若しくはＣＤ−ＲＯＭ９８ｎ等の記録媒体からコントローラ９７を経由してバス１０３を介しＲＡＭ９３へロードされる。入力制御部９９は、マウス、テンキー等の入力操作部１００と接続され入力制御等を行う。画像メモリであるＶＲＡＭ９５はＰＣ２０の表示部９４の少なくとも一画面分のデータ容量に相当する容量を有しており、画像制御部９６はＶＲＡＭ９５のデータを画像データへ変換して表示部９４へ送出する機能を有している。入出力Ｉ／Ｆ部１０２は入出力インタフェース機能を有しており、ＵＳＢケーブル３０等により携帯電話器１０の入出力Ｉ／Ｆ部８２と接続されている。携帯電話器１０の追加記録媒体７８に記録されたサービス提供ソフトウェアＳｐは、ＰＣ２０のＲＡＭ９３に読み込まれている。本発明のコンピュータ・プログラムが実行されることにより、携帯電話器１０側からサービス提供ソフトウェアＳｐを取得することができ、当該サービス提供ソフトウェアＳｐを実行させることができる。
【００５０】
上述のようにＣＰＵ７１または９１が本発明のコンピュータ・プログラム（および送受信用ソフトウェアＳｋとサービス提供ソフトウェアＳｐ）を実行することにより、本発明の目的を達成することができる。当該コンピュータ・プログラムは上述のようにＣＤ−ＲＯＭ９８ｎ等の記録媒体の形態でコンピュータＣＰＵ７１または９１に供給することができ、当該コンピュータ・プログラムを記録したＣＤ−ＲＯＭ９８ｎ等の記録媒体も同様に本発明を構成することになる。当該コンピュータ・プログラムを記録した記録媒体としては上述された記録媒体の他に、例えばメモリ・カード、メモリ・スティック、ＤＶＤ、光ディスク、ＦＤ等を用いることができる。
【００５１】
以上より、本発明の実施例１によれば、携帯電話器１０が、ウェブサーバ４０から送受信用ソフトウェアＳｋをダウンロードし、携帯電話器１０側の記録媒体７７に記録する。ダウンロードした送受信用ソフトウェアＳｋを用いて、所定のサービスを購入する購入要求情報Ｉｂをウェブサーバ４０へ送信する。ウェブサーバ４０が、送信された購入要求情報Ｉｂに基づき、所定のサービスを提供するサービス提供ソフトウェアＳｐを携帯電話器１０へ送信する。携帯電話器１０が、送信されたサービス提供ソフトウェアＳｐを携帯電話器１０側の追加記録媒体７８に記録する。携帯電話器１０と接続されたＰＣ２０が、携帯電話器１０側の追加記録媒体７８に記録されたサービス提供ソフトウェアＳｐをＰＣ２０のＲＡＭ９３に読み込み、サービス提供ソフトウェアＳｐを実行する。この結果、記憶メディアは携帯電話器１０側で、ＣＰＵ７１はＰＣ２０側でという形態でＰＣ用ソフトウェアであるサービス提供ソフトウェアＳｐを実行することができる。このため、普段は携帯電話器１０をよく利用しているが、サービス提供ソフトウェアＳｐは使い慣れていないような場合であっても、使い慣れている携帯電話器１０を用いることにより容易にサービス提供ソフトウェアＳｐを取得し、種々のＰＣ２０の設定を自動的に行なうことが可能となる。
【実施例２】
【００５２】
図４は、本発明の実施例２における情報端末装置におけるサービス利用システム２を示す。図４で図１と同じ符号を付した箇所は同じ要素を示すため説明は省略する。図４において、符号５０はウェブサーバ４０に接続された設定発行サーバ、５１は設定発行サーバ５０が備える機能を示す機能ブロック、６０は設定発行サーバ５０とインターネット３５およびルータ３６ｄを介して接続された無線ＬＡＮ認証サーバ（以下、「認証サーバ」と略す。）、６１は認証サーバ６０が備える機能を示す機能ブロック、１５０はルータ３６ｃを介してインターネット３５と接続された企業側サーバである。認証サーバ６０はＰＣ２０と、無線ＬＡＮ基地局３９および移動体通信網３２とは別の通信メディアである無線ＬＡＮ３４を介して接続されている。図４では、事業者側サーバ３７とウェブサーバ４０とは専用通信網３８を介して接続されているが、実施例１で述べたようにインターネット３５を介して接続することも可能である。同様に、事業者側サーバ３７、ウェブサーバ４０、設定発行サーバ５０、認証サーバ６０とはインターネット３５を介してアクセス可能なように接続されていてもよい。ウェブサーバ４０と設定発行サーバ５０とはＬＡＮ等で接続されていてもよいが、単一のコンピュータとして実現してもよい。設定発行サーバ５０と認証サーバ６０とは専用通信網（不図示）を介して接続されていてもよい。
【００５３】
図４のウェブサーバ４０の機能ブロック４１に示されるように、ウェブサーバ４０は、購入要求情報送信部１４により送信された購入要求情報Ｉｂにより示される所定のサービスの実現に要する実現情報Ｒの生成要求Ｒｓを設定発行サーバ５０へ送信する生成要求送信部（生成要求送信手段）４４をさらに備えている。認証部（認証手段）４６については後述する。
【００５４】
図４の設定発行サーバ５０の機能ブロック５１に示されるように、設定発行サーバ５０は、生成要求送信部４４により送信された生成要求Ｒｓに基づき、所定のサービスの設定に用いる設定情報Ｉｓと、ＰＣ２０が認証サーバ６０を介してインターネット３５（所定のネットワーク）にアクセスする際に要する通信情報Ｉｃとを含む実現情報Ｒ（Ｉｓ，Ｉｃ）を生成し、この実現情報Ｒ（Ｉｓ，Ｉｃ）をウェブサーバ４０へ送信する実現情報送信部（実現情報送信手段）５２を備えている。設定情報Ｉｓとしては、例えば無線ＬＡＮスポットを探すためのＳＳＩＤおよびＷＥＰが挙げられる。通信情報Ｉｃとしては、例えばインターネット３５に接続する際に必要なユーザＩＤ、パスワード等が挙げられる。当該パスワードは携帯電話器１０側からはいわゆるワンタイムパスワードのように見える。設定発行サーバ５０は、認証サーバ６０から送信された通信情報Ｉｃに基づき、ＰＣ２０がインターネット３５にアクセスする場合のログインの許否を行うログイン許否部（ログイン許否手段）５４をさらに備えている。
【００５５】
図４の機能ブロック４１に示されるサービス提供ソフトウェア送信部４２’は、実施例１の場合の機能に加えて、購入要求情報送信部１４により送信された購入要求情報Ｉｂに基づき、サービス提供ソフトウェアＳｐ（ＰＣ２０が無線ＬＡＮ３４にアクセスするための設定を行なうソフトウェア）と実現情報送信部５２により送信された実現情報Ｒ（Ｉｓ，Ｉｃ）とを携帯電話器１０へ送信する。
【００５６】
図４の機能ブロック１１に示される情報記録部１６’は、実施例１の場合の機能に加えて、サービス提供ソフトウェア送信部４２’により送信されたサービス提供ソフトウェアＳｐおよび実現情報Ｒ（Ｉｓ，Ｉｃ）を携帯電話器１０側の追加記録媒体７８に記録する。
【００５７】
図４の機能ブロック２１に示されるサービス提供ソフトウェア実行部２２’は、実施例１の場合の機能に加えて、携帯電話器１０と接続された状態で、情報記録部１６’により携帯電話器１０側の追加記録媒体７８に記録された実現情報Ｒ（Ｉｓ，Ｉｃ）およびサービス提供ソフトウェアＳｐをＰＣ２０のＲＡＭ９３上に読み込み、実現情報Ｒ（Ｉｓ，Ｉｃ）に含まれる設定情報Ｉｓを用いてサービス提供ソフトウェアＳｐの利用に必要な設定を行ない、実現情報Ｒ（Ｉｓ，Ｉｃ）に含まれる通信情報Ｉｃを認証サーバ６０側へ送信してログイン要求を行う。アクセス部（アクセス手段）２４については後述する。
【００５８】
図４の認証サーバ６０の機能ブロック６１に示されるように、認証サーバ６０は、サービス提供ソフトウェア実行部２２’によりＰＣ２０から送信された通信情報Ｉｃを設定発行サーバ５０へ送信する通信情報送信部（通信情報送信手段）６２を備えている。
【００５９】
図４のＰＣ２０の機能ブロック２１に示されるように、ＰＣ２０は、ログイン許否部５４によりログインが許可された場合、認証サーバ６０を介してインターネット３５へアクセスするアクセス部（アクセス手段）２４をさらに備えている。
【００６０】
図４のウェブサーバ４０の機能ブロック４１に示されるように、ウェブサーバ４０は、ＰＣ２０がアクセス部２４によりインターネット３５にアクセスし、続いてインターネット３５に接続された企業側サーバ１５０（認証を要するサーバ）へのアクセスを要求する場合、携帯電話器１０が購入要求情報Ｉｂを送信した際に、企業側サーバ１５０（のネットワーク）にアクセスするために必要な認証を行う認証部（認証手段）４６をさらに備えている。実施例１で説明したような、単にサービス提供ソフトウェアＳｐを利用するためのＰＣ２０の設定を行なうだけのサービスの場合、あるいは定額のサービスの場合等であれば、上記認証は不要である。しかし、企業側サーバ１５０（のネットワーク）にアクセスする場合は、本実施例２のように、企業側サーバ１５０（のネットワーク）にアクセスするためのユーザＩＤおよびパスワード等を認証する認証部４６が必要である。
【００６１】
図５は、ＰＣ２０におけるサービス利用システム２の構成要素である認証サーバ６０、設定発行サーバ５０、ウェブサーバ４０、携帯電話器１０、ＰＣ２０で実行される各通信プログラムの流れまたはＰＣ２０におけるサービス利用方法をフローチャートで示す。図５において、最左側のフローチャートは認証サーバ６０のフローチャート、左から２番目のフローチャートは設定発行サーバ５０のフローチャート、中央のフローチャートはウェブサーバ４０のフローチャート、右から２番目のフローチャートは携帯電話器１０のフローチャート、最右側のフローチャートはＰＣ２０のフローチャートであり、各構成要素間の通信は点線で示す。図５では図面の都合上、処理ブロック内に処理内容を文言で記載せず、ステップＳ番号のみを記載している。図５で図２と同じステップＳ番号を記載した処理ブロックでは同じ処理が行われているため、説明は省略する。
【００６２】
図５に示されるように、送受信用ソフトウェアダウンロードステップ（ステップＳ１０）、購入要求情報送信ステップ（ステップＳ１２）までは実施例１と同様である。この後、サービス提供ソフトウェア送信ステップ（ステップＳ２２’）に先立ち、ウェブサーバ４０が    購入要求情報Ｉｂにより示される所定のサービスの実現に要する実現情報Ｒの生成要求Ｒｓをウェブサーバ４０に接続された設定発行サーバ５０へ送信する（生成要求送信ステップ。ステップＳ２０）。
【００６３】
次に、設定発行サーバ５０が、生成要求送信ステップ（ステップＳ２０）で送信された生成要求Ｒｓに基づき、所定のサービスの設定に用いる設定情報Ｉｓと、ＰＣ２０が移動体通信網３２とは別の通信メディア（無線ＬＡＮ３４）および当該別の通信メディア３４の認証サーバ６０を介してインターネット３５にアクセスする際に要する通信情報Ｉｃとを含む実現情報Ｒ（Ｉｓ，Ｉｃ）を生成し、この実現情報Ｒ（Ｉｓ，Ｉｃ）をウェブサーバ４０へ送信する（実現情報送信ステップ。ステップＳ４０）。
【００６４】
サービス提供ソフトウェア送信ステップ（ステップＳ２２’）では、実施例１のステップＳ２２の処理に加えて、ウェブサーバ４０が購入要求情報送信ステップ（ステップＳ１２）で送信された購入要求情報Ｉｂに基づき、所定のサービスを提供するサービス提供ソフトウェアＳｐと、実現情報送信ステップ（ステップＳ４０）で送信された実現情報Ｒ（Ｉｓ，Ｉｃ）とを携帯電話器１０へ送信する。
【００６５】
情報記録ステップ（ステップＳ１４’）では、実施例１のステップＳ１４の処理に加えて、携帯電話器１０がサービス提供ソフトウェア送信ステップ（ステップＳ２２’）で送信されたサービス提供ソフトウェアＳｐおよび実現情報Ｒ（Ｉｓ，Ｉｃ）を携帯電話器１０側の追加記録媒体７８に記録する。
【００６６】
サービス提供ソフトウェア実行ステップ（ステップＳ３０’）では、実施例１のステップＳ３０の処理に加えて、携帯電話器１０と接続されたＰＣ２０が、情報記録ステップ（ステップＳ１４’）で携帯電話器１０側の追加記録媒体７８に記録された実現情報Ｒ（Ｉｓ，Ｉｃ）およびサービス提供ソフトウェアＳｐをＰＣ２０のＲＡＭ９３上に読み込み、実現情報Ｒ（Ｉｓ，Ｉｃ）に含まれる設定情報Ｉｓを用いてサービス提供ソフトウェアＳｐを利用するために必要な設定を行ない、実現情報Ｒ（Ｉｓ，Ｉｃ）に含まれる通信情報Ｉｃを認証サーバ６０側へ送信してログイン要求を行う。
【００６７】
認証サーバ６０が、サービス提供ソフトウェア実行ステップ（ステップＳ３０’）でＰＣ２０から送信された通信情報Ｉｃを認証サーバ６０と接続された設定発行サーバ５０へ送信する（通信情報送信ステップ。ステップＳ５０）。
【００６８】
設定発行サーバ５０が、通信情報送信ステップ（ステップＳ５０）で送信された通信情報Ｉｃに基づきログインの許否を行う（ログイン許否ステップ。ステップＳ４２）。ログイン許否ステップ（ステップＳ４２）でログインが許可された場合、許可（Ｙ）が設定発行サーバ５０から認証サーバ６０を介してＰＣ２０へ送られる。この結果、ＰＣ２０が、認証サーバ６０を介してインターネット３５へアクセスできる（アクセスステップ。ステップＳ３２）。
【００６９】
アクセスステップ（ステップＳ３２）に続き、インターネット３５に接続された企業側サーバ１５０（認証を要するサーバ）へのアクセスを要求する場合、生成要求送信ステップ(ステップＳ２０)に先立ち、ウェブサーバ４０が、企業側サーバ１５０（のネットワーク）にアクセスするために必要な認証を行う認証ステップ（不図示）をさらに備えればよい。
【００７０】
図６は、本実施例２における購入要求情報送信ステップ（ステップＳ１２）の際に携帯電話器１０の表示部７４に示される画像例１１０を示す。上述のように、サービス提供ソフトウェアＳｐとしては、ＰＣ２０が無線ＬＡＮ３４にアクセスするために近郊の無線ＬＡＮスポットを探し、必要な設定を行なうソフトウェアを想定している。図６に示されるように、ヘッダとして「無線ＬＡＮ利用権購入」が表示され、欄１１２に示されるように無線ＬＡＮスポットの案内が表示されている。具体的には欄１１４に示されるように、いくつかの無線ＬＡＮスポット（ＸＹＺサービス、１２３４サービス、あいうえおサービス等）が表示されている。ユーザが駅待合室Ｂにおける１２３４サービスを利用したい場合、その位置をカーソル（不図示）等で指定し（黒丸で示す。）、欄１１６で示される「１日分無線ＬＡＮ利用権を購入する」をクリックする。この１日分無線ＬＡＮ利用権とは、上述したように携帯電話器１０側からはワンタイムパスワードのように見えるパスワードである。その後、サービス提供ソフトウェアＳｐが当該無線ＬＡＮスポットにアクセスするために必要なＰＣの設定をおこなう。ユーザが利用したいサービスが近郊にない場合、１１８欄で示される「もう一度ＧＰＳで測る」をクリックすると、サービス提供ソフトウェアＳｐは再度近郊の無線ＬＡＮスポットを探すことを繰返す。
【００７１】
図７は、図６でユーザが「１日分無線ＬＡＮ利用権を購入する」欄１１６をクリックした後、ＰＣ２０の表示部９４に表示される画像例１２０を示す。図７に示されるように、ユーザはＰＣ２０を用い無線ＬＡＮ３４を介してインターネット３５にアクセスし、インターネット３５から企業側サーバ１５０にアクセスしてメールをダウンロードしている。図７において、符号１２６はメールソフトのウィンドウであり、その中に「ダウンロード中２０件  １０ＭＢ」という表示１２８がされている。符号１２２は接続設定ソフト（サービス提供ソフトウェアＳｐ）のウィンドウであり、その中に接続状況および接続可能時間等が表示されている。「切断する」表示１２４をクリックすると、無線ＬＡＮ３４への接続は切断される。
【００７２】
図８は、サービス提供ソフトウェアＳｐにより実行される設定の動作を示す設定情報の一例Ｉｓ１３０を示す。図８に示される設定情報Ｉｓ１３０では、番号欄１３１で示される番号１の行から動作が始まり、その行の条件欄１３２に示される条件が成立した場合はその行の設定の動作欄１３３で示される設定を行ない、その後、その行の動作欄１３４で示される動作を行なう。その行の条件欄１３２に示される条件が成立しなかった場合は、番号１の行の次の番号２の行の条件欄１３２を試す。図８に示されるように、設定情報Ｉｓ１３０は条件欄１３２で示される条件、設定の動作欄１３３で示される設定の動作および設定値、次の動作欄１３４で示されるシーケンス全体が一つになっている。
【００７３】
図８に示されるように、まず、番号１の行の条件欄１３２で示される条件「無線ＬＡＮを探して、ＳＳＩＤ＝ＳＰＯＴが存在する」が成立するかどうかを調べる。成立する場合、設定の動作欄１３３で示される「ＳＳＩＤ＝ＳＰＯＴ、８０２．１ｘ  ＩＤ＝Ｕｓｅｒ１、８０２．１ｘ  ＰＡＳＳ＝１２３４５」の設定を行なう。次の動作欄１３４で示されるように、これで「設定を終了」する。番号１の行の条件欄１３２で示される条件が成立しなかった場合、番号２の行の条件欄１３２で示される条件「無線ＬＡＮを探して、ＳＳＩＤ＝ＳＰＯＴ２が存在する」が成立するかどうかを調べる。成立する場合、設定の動作欄１３３で示されるように、「設定情報Ｂをウェブサーバ４０から取得する」。このため、次の動作欄１３４で示されるように、「設定情報Ｂの番号１へ飛ぶ」ようにする。設定情報Ｂは設定情報Ｉｓ１３０とは異なる別の設定情報である。設定情報が膨大にならないように複数個のテーブルに分けておき、条件に応じて動的にダウンロードすることができる。番号２の行の条件欄１３２で示される条件が成立しなかった場合、番号３の行の条件欄１３２で示される条件「無線ＬＡＮを探して、ＳＳＩＤ＝ＳＰＯＴ３が存在する」が成立するかどうかを調べる。成立する場合、設定の動作欄１３３で示されるように設定を行なう。次の動作欄１３４で示されるように、これで「設定を終了」する。番号３の行の条件欄１３２で示される条件が成立しなかった場合、番号４の行の条件欄１３２で示される条件「http://www.xxx.vvv/にアクセスできる」が成立するかどうかを調べる。成立する場合、設定の動作欄１３３で示されるように、ウェブから設定を行なう。次の動作欄１３４で示されるように、これで「設定を終了」する。番号４の行の条件欄１３２で示される条件が成立しなかった場合、番号５の行の条件欄１３２に示されるように、「無条件」で設定の動作欄１３３に示されるように「画面「無線ＬＡＮスポットを探しています」を表示する」を実行し、番号１の行へ戻って以上の処理を繰り返す。
【００７４】
以上より、本発明の実施例２によれば、携帯電話器１０が送受信用ソフトウェアＳｋをダウンロードし、購入要求情報Ｉｂを送信した後、ウェブサーバ４０がサービス提供ソフトウェアＳｐを送信するのに先立ち、ウェブサーバ４０が購入要求情報Ｉｂにより示される所定のサービスの実現に要する実現情報Ｒの生成要求Ｒｓをウェブサーバ４０に接続された設定発行サーバ５０へ送信する。次に、設定発行サーバ５０が、送信された生成要求Ｒｓに基づき、所定のサービスの設定に用いる設定情報Ｉｓと、ＰＣ２０が移動体通信網３２とは別の通信メディア（無線ＬＡＮ３４）および当該別の通信メディア３４の認証サーバ６０を介してインターネット３５にアクセスする際に要する通信情報Ｉｃとを含む実現情報Ｒ（Ｉｓ，Ｉｃ）を生成し、この実現情報Ｒ（Ｉｓ，Ｉｃ）をウェブサーバ４０へ送信する。サービス提供ソフトウェア送信部４２’は、実施例１の場合に加えて、ウェブサーバ４０が購入要求情報送信部１４から送信された購入要求情報Ｉｂに基づき、所定のサービスを提供するサービス提供ソフトウェアＳｐと、実現情報送信部から送信された実現情報Ｒ（Ｉｓ，Ｉｃ）とを携帯電話器１０へ送信する。情報記録部１６’は、実施例１の場合に加えて、携帯電話器１０がサービス提供ソフトウェア送信部４２’から送信されたサービス提供ソフトウェアＳｐおよび実現情報Ｒ（Ｉｓ，Ｉｃ）を携帯電話器１０側の追加記録媒体７８に記録する。サービス提供ソフトウェア実行部２２’は、実施例１の場合に加えて、携帯電話器１０と接続されたＰＣ２０が、情報記録部１６’により携帯電話器１０側の追加記録媒体７８に記録された実現情報Ｒ（Ｉｓ，Ｉｃ）およびサービス提供ソフトウェアＳｐをＰＣ２０のＲＡＭ９３上に読み込み、実現情報Ｒ（Ｉｓ，Ｉｃ）に含まれる設定情報Ｉｓを用いてサービス提供ソフトウェアＳｐを利用するために必要な設定を行ない、実現情報Ｒ（Ｉｓ，Ｉｃ）に含まれる通信情報Ｉｃを認証サーバ６０側へ送信してログイン要求を行う。認証サーバ６０が、サービス提供ソフトウェア実行部２２’によりＰＣ２０から送信された通信情報Ｉｃを認証サーバ６０と接続された設定発行サーバ５０へ送信する。設定発行サーバ５０が、通信情報送信部６２により送信された通信情報Ｉｃに基づきログインの許否を行う。ログインが許可された場合、許可（Ｙ）が設定発行サーバ５０から認証サーバ６０を介してＰＣ２０へ送られる。この結果、ＰＣ２０が、認証サーバ６０を介してインターネット３５へアクセスすることができる。
【００７５】
この結果、実施例１と同様に、記憶メディアは携帯電話器１０側で、ＣＰＵ７１はＰＣ２０側でという形態でＰＣ用ソフトウェアであるサービス提供ソフトウェアＳｐを実行することができるという効果に加えて、さらに、普段利用した経験が少なく、その操作方法等に不慣れであるＰＣ２０を介した通信メディア（無線ＬＡＮ３４）の利用を行う場合、各所の無線ＬＡＮスポットを自動的に探すと共に各所の無線ＬＡＮスポットにおいて自動的にＰＣ２０の設定を行ない、当該通信メディア３４を利用することができる。さらに、上述のように携帯電話器１０側からはワンタイムパスワードのように見える１日分無線ＬＡＮ利用権を用いているため、緊急に近くの無線ＬＡＮスポットを利用したい事態が生じた場合であっても、即時に無線ＬＡＮを利用することができる。携帯電話器１０のユーザの無線ＬＡＮ利用権は１日分等のように短時間許可されるだけであって、ユーザまたはユーザの会社（企業側サーバ１５０に対応する会社）自身が直接無線ＬＡＮ事業者と契約して無線ＬＡＮ利用料（使用料）を支払う訳ではない。すなわち、携帯電話事業者（事業者側サーバ３７に対応する電話事業者）が立替払いすることになるため、無線ＬＡＮ事業者としては契約していないユーザに無線ＬＡＮ３４を使用させても、それほどリスクが無いというビジネスモデルを設定することができる。
【実施例３】
【００７６】
本実施例３では、実施例２において実現情報Ｒ等に暗号化を施した場合について説明する。暗号化以外については実施例２と同様である。以下では、図４を適宜引用して説明する。
【００７７】
携帯電話器１０の購入要求情報送信部１４によりウェブサーバ４０へ送信される購入要求情報Ｉｂは携帯電話器１０の識別子を含み、ウェブサーバ４０の生成要求送信部４４により設定発行サーバ５０へ送信される生成要求Ｒｓは携帯電話器１０の識別子を含む。設定発行サーバ５０の実現情報送信部５２により生成される設定情報Ｉｓ＊は上記携帯電話器１０の識別子（例えば携帯電話器１０の電話番号等）を用いて一部または全部が暗号化されている（以下同様に、暗号化されたことを上付＊で示す。）。これは、設定情報Ｉｓ＊を携帯電話器１０でしか読めないようにするためである。実現情報送信部５２により生成される通信情報Ｉｃ＊は上記携帯電話器１０の識別子と所定の乱数とを用いて一部または全部が暗号化されている。これは、当該通信情報Ｉｃ＊を設定発行サーバ５０でしか読めないようにするためである。所定の乱数および通信情報Ｉｃは上記携帯電話器１０の識別子と関連付けて保存しておく。
【００７８】
サービス提供ソフトウェア実行部２２’’（不図示）は、携帯電話器１０と接続された状態で、情報記録部１６’により携帯電話器１０側の追加記録媒体７８に記録された実現情報Ｒ＊（Ｉｓ＊，Ｉｃ＊）およびサービス提供ソフトウェアＳｐと携帯電話器１０の識別子とをＰＣ２０のＲＡＭ９３上に読み込み、実現情報Ｒ＊（Ｉｓ＊，Ｉｃ）に含まれる設定情報Ｉｓ＊を携帯電話器１０の識別子を用いて復号化して設定情報Ｉｓとした後、サービス提供ソフトウェアＳｐの設定を行ない、携帯電話器１０の識別子および実現情報Ｒ＊に含まれる通信情報Ｉｃ＊を認証サーバ６０側へ送信してログイン要求を行う。通信情報送信部６１’（不図示）は、サービス提供ソフトウェア実行部２２’’によりＰＣ２０から送信された携帯電話器１０の識別子および通信情報Ｉｃ＊を設定発行サーバ５０へ送信する。
【００７９】
設定発行サーバ５０のログイン許否部５４’（不図示）は、通信情報送信部６２により送信された携帯電話器１０の識別子と同じ識別子に関連付けて保存しておいた上記所定の乱数と当該識別子とを用いて通信情報Ｉｃ＊を復号化してＩｃとし、通信情報Ｉｃが設定発行サーバ５０により生成されたか否かを調べ、その結果に基づきログインの許否を行う。具体的には、当該識別子に関連付けて保存しておいた通信情報Ｉｃと復号化されたＩｃとが一致するか否かにより、ログインの許否を行う。
【００８０】
暗号化を施した場合における各通信プログラムの流れまたはＰＣ２０におけるサービス利用方法を図５を引用して説明する。サービス提供ソフトウェア実行ステップ（ステップＳ３０’’。不図示）では、携帯電話器１０と接続されたＰＣ２０が、情報記録ステップ（ステップＳ１４’’。不図示）で携帯電話器１０側の追加記録媒体７８に記録された実現情報Ｒ＊（Ｉｓ＊，Ｉｃ＊）およびサービス提供ソフトウェアＳｐと携帯電話器１０の識別子とをＰＣ２０側の記録装置９８ａにロードし、実現情報Ｒ＊（Ｉｓ＊，Ｉｃ＊）に含まれる設定情報Ｉｓ＊を携帯電話器１０の識別子を用いて復号化してＩｓとした後、サービス提供ソフトウェアＳｐの設定を行ない、携帯電話器１０の識別子および実現情報Ｒ＊（Ｉｓ＊，Ｉｃ＊）に含まれる通信情報Ｉｃ＊を認証サーバ６０側へ送信してログイン要求を行う。通信情報送信ステップ（ステップＳ５０’。不図示）は、サービス提供ソフトウェア実行ステップ（ステップＳ３０’’）でＰＣ２０から送信された携帯電話器１０の識別子および通信情報Ｉｃ＊を設定発行サーバ５０へ送信する。ログイン許否ステップ（ステップＳ４２’。不図示）は、設定発行サーバ５０が、所定の乱数と通信情報送信ステップ（ステップＳ５０’）で送信された携帯電話器１０の識別子とを用いて通信情報Ｉｃ＊を復号化してＩｃとし、通信情報Ｉｃが設定発行サーバ５０により生成されたか否かを調べ、その結果に基づきログインの許否を行う。
【００８１】
以上より、本発明の実施例３によれば、実施例で説明した機能に加えて、実現情報Ｒ等に暗号化を施すことができる。ＰＣ２０と携帯電話器１０とが接続された状態で、携帯電話器１０が暗号化された設定情報Ｉｓ＊および通信情報Ｉｃ＊を受け取り、ＰＣ２０が無線ＬＡＮ３４を介して通信情報Ｉｃ＊を送信してログイン要求を行うため、設定情報Ｉｓ等がコピーされていた場合、ログイン要求を拒否することができる。この結果、実施例２の効果に加えて、設定情報Ｉｓ等をコピーされないようにすることができるセキュリティシステムを構築することができる。
【実施例４】
【００８２】
上述の実施例２および３において、ウェブサーバ４０に接続された携帯電話器１０側の課金サーバ（不図示）をさらに備えることができる。当該課金サーバは、携帯電話器１０の通信料を課金しているため、携帯電話器１０のユーザの課金口座等の情報を有している。そこで、事業者側サーバ３７側の携帯電話事業者が無線ＬＡＮ３４側の無線ＬＡＮ事業者と以下のような契約を結ぶ。すなわち、携帯電話事業者が無線ＬＡＮ回線使用権を第三者（上記ユーザ）にワンタイムパスワードとして時間売りする。無線ＬＡＮ回線使用権の使用料は一旦携帯電話事業者が無線ＬＡＮ事業者に立替払いまたは回収代行しておき、携帯電話事業者がユーザから携帯電話器１０の電話料に上乗せする形態で回収する。例えば、ウェブサーバ４０が設定発行サーバ５０により生成された上述のワンタイムパスワードを通信情報Ｉｃ（またはＩｃ＊）として受信した際、ウェブサーバ４０が課金サーバへ上記使用料を送信し、課金サーバが携帯電話器１０のユーザの課金口座に上乗せすればよい。以上のようにして、無線ＬＡＮ３４の通信料を携帯電話器１０の通信料と一括して課金することができる。この結果、実施例２および３の効果に加えて、普段契約していない無線ＬＡＮスポットのような通信メディアであっても、携帯電話器１０の課金として落とすことができるため、すぐに一時利用を行うことができる。上述の例のように、企業側サーバ１５０からメールをダウンロードするような無線ＬＡＮの利用を行う場合、上述のような仕組みにより一時的に無線ＬＡＮ３４の通信料を携帯電話器１０の通信料と一括して課金しておき、後で、課金サーバが無線ＬＡＮ３４の通信料を企業側の課金口座へ移して、企業側の課金口座から引き落とすことも可能である。
【実施例５】
【００８３】
上述の各実施例において、サービス提供ソフトウェアＳｐは、サービス提供ソフトウェア実行部２２等の実行中に不足する情報があると判断した場合、携帯電話器１０を介してウェブサーバ４０から当該不足する情報を自動的に取得することもできる。不足する情報としては、例えばＰＣ２０の無線ＬＡＮドライバ、またはＰＣ２０に固有の情報等が挙げられる。この結果、上記各実施例の効果に加えて、各所の無線ＬＡＮスポットにおいて自動的に各ＰＣ２０の状態を自動診断し、不足する情報をダウンロードしながら各ＰＣ２０に応じた設定を行ない、当該通信メディア３４を利用することができる。
【産業上の利用可能性】
【００８４】
本発明の活用例として、普段利用した経験が少なく、その操作方法等に不慣れであるＰＣ２０を介した無線ＬＡＮ３４の利用を行う場合への応用が挙げられる。
【図面の簡単な説明】
【００８５】
【図１】本発明の実施例１における情報端末装置におけるサービス利用システム１を示す図である。
【図２】図２は、ＰＣ２０におけるサービス利用システム１の構成要素であるウェブサーバ４０、携帯電話器１０、ＰＣ２０で実行される各通信プログラムの流れまたはＰＣ２０におけるサービス利用方法を示すフローチャートである。
【図３】携帯電話器１０の内部ブロック７０およびＰＣ２０の内部ブロック９０と、両者の接続状態を示す図である。
【図４】本発明の実施例２における情報端末装置におけるサービス利用システム２を示す図である。
【図５】ＰＣ２０におけるサービス利用システム２の構成要素である認証サーバ６０、設定発行サーバ５０、ウェブサーバ４０、携帯電話器１０、ＰＣ２０で実行される各通信プログラムの流れまたはＰＣ２０におけるサービス利用方法を示すフローチャートである。
【図６】本実施例２における購入要求情報送信ステップ（ステップＳ１２）の際に携帯電話器１０の表示部７４に示される画像１１０の一例を示す図である。
【図７】図６でユーザが「１日分無線ＬＡＮ利用権を購入する」欄１１６をクリックした後、ＰＣ２０の表示部９４に表示される画像例１２０を示す図である。
【図８】サービス提供ソフトウェアＳｐにより実行される設定の動作を示す設定情報の一例Ｉｓ１３０を示す図である。
【符号の説明】
【００８６】
１，２  情報端末装置におけるサービス利用システム、  １０  携帯電話器、  １１，２１、４１，５１，６１  機能ブロック、  １２  送受信用ソフトウェアダウンロード部、  １４  購入要求情報送信部、  １６、１６’  情報記録部、  ２０  ＰＣ、  ２２，２２’  サービス提供ソフトウェア実行部、  ２４  アクセス部、  ３０  ＵＳＢケーブル、  ３１  基地局、  ３２  移動体通信網、  ３４  無線ＬＡＮ、  ３５  インターネット、  ３６ａ，３６ｂ，３６ｃ,３６ｄ  ルータ、  ３７  事業者側サーバ、  ３８  専用通信網、  ３９  無線ＬＡＮ基地局、  ４０  ウェブサーバ、  ４２，４２’  サービス提供ソフトウェア送信部、  ４４  生成要求送信部、  ４６  認証部、  ５０  設定発行サーバ、  ５２  実現情報送信部、  ５４  ログイン許否部、  ６０  認証サーバ、  ６２  通信情報送信部、  ７０，９０  内部ブロック、  ７１，９１  ＣＰＵ、  ７２、９２    ＲＯＭ、  ７３，９３  ＲＡＭ、  ７４，９４  表示部、  ７５，９５  ＶＲＡＭ、  ７６，９６  画像制御部、  ７７  記録媒体、  ７８  追加記録媒体、    ７９，９９  入力制御部、  ８０，１００  入力操作部、  ８２、１０２  入出力Ｉ／Ｆ部、  ８３，１０３  バス、  ８４  セレクタ、  ９７  コントローラ、  ９８ａ  ディスク、  ９８ｎ  ＣＤ−ＲＯＭ、  １１０，１２０  画像例、  １１２，１１４，１１６，１１８  欄、  １２２，１２６  ウィンドウ、  １２４，１２８  表示、  １３０  設定情報の例、  １３１  番号欄、  １３２  条件欄、  １３３  設定の動作欄、  １３４  次の動作欄、  １５０  企業側サーバ。
【図１】
2008181431.tif 000003
【図２】
2008181431.tif 000004
【図３】
2008181431.tif 000005
【図４】
2008181431.tif 000006
【図５】
2008181431.tif 000007
【図６】
2008181431.tif 000008
【図７】
2008181431.tif 000009
【図８】
2008181431.tif 000010